(57)【要約】【課題】光ディスクにおけるディジタル信号の記録密度が向上しても、再生信号を高精度で評価できるようにする。【解決手段】コンピュータ２０は、抽出する振幅値とは反対極性側に設定されたトリガレベルＴＲｕ，ＴＲｄを再生信号がクロスするごとに、振幅値ＨＳＷ，ＬＳＷおよび振幅値到達時間ＨＳＴ，ＬＳＴを記憶する。また、同再生信号がスライスレベルＳＬｕ，ＳＬｄをクロスするごとに、評価対象のパルス幅１１Ｔに対応する振幅値ＨＬＷ，ＬＬＷおよび振幅値到達時間ＨＬＴ，ＬＬＴを記憶する。次に、所定時間範囲に属する振幅値到達時間ＨＳＴ，ＬＳＴに対応する振幅値ＨＳＷ，ＬＳＷごとに度数分布を計算し、評価対象となるパルス幅２Ｔに対応する抽出振幅値ＨＳＷ２，ＬＳＷ２を抽出する。そして、同抽出した振幅値ＨＳＷ２，ＬＳＷ２および記憶した振幅値ＨＬＷ，ＬＬＷを用いて再生信号を評価する。【選択図】  図１
2007066412.tif 000002
【特許請求の範囲】
【請求項１】
光ディスクに記録された複数種類のパルス幅を持つ一連のパルスからなるディジタル信号をアナログ再生して、評価対象となるパルス幅に対応するアナログ再生信号を評価する光ディスクの再生信号評価装置において、
前記アナログ再生信号を所定のサンプリングレートでサンプリングしてディジタル信号にＡ／Ｄ変換する再生信号サンプリング手段と、
前記再生信号サンプリング手段にてＡ／Ｄ変換したディジタル信号の中から、前記アナログ再生信号における振幅値を表すディジタル信号を複数抽出して第１振幅値として記憶する振幅データ記憶手段と、
前記振幅データ記憶手段に記憶された第１振幅値の度数分布を計算する度数分布計算手段と、
前記度数分布計算手段によって計算された度数分布を用いて前記振幅データ記憶手段に記憶された第１振幅値の中から、評価対象となる第１のパルス幅に対応した第１振幅値を抽出振幅値として抽出する振幅値抽出手段と、
前記振幅値抽出手段によって抽出された抽出振幅値に基づいて、前記アナログ再生信号を評価する再生信号評価手段とを備えたことを特徴とする再生信号評価装置。
【請求項２】
請求項１に記載の再生信号評価装置において、
前記振幅データ記憶手段は、さらに、
前記アナログ再生信号が同アナログ再生信号の振幅範囲内における所定の第１閾値に達するごとに、同アナログ再生信号の振幅値を前記再生信号サンプリング手段にてＡ／Ｄ変換したディジタル信号の中から抽出して第１振幅値として記憶するとともに、前記アナログ再生信号が前記第１閾値に達したのち前記振幅値に達するまでの時間を計測して振幅値到達時間として前記第１振幅値に対応させて記憶し、
前記度数分布計算手段は、所定の時間範囲に属する時間を表す前記振幅値到達時間に対応する前記第１振幅値ごとに度数分布を計算して複数の度数分布を生成し、
前記振幅値抽出手段は、前記度数分布計算手段によって生成された複数の度数分布ごとに前記振幅データ記憶手段に記憶された第１振幅値の中から前記評価対象となる第１のパルス幅に対応した第１振幅値を抽出し、同抽出した複数の度数分布ごとの第１振幅値を抽出振幅値とする再生信号評価装置。
【請求項３】
請求項２に記載の再生信号評価装置において、
前記第１閾値は、前記アナログ再生信号の中央レベルより所定の量だけ前記抽出する振幅値とは反対極性側にずれており、
前記振幅データ記憶手段は、前記第１閾値とは反対極性側の振幅値を前記再生信号サンプリング手段にてＡ／Ｄ変換したディジタル信号の中から抽出して第１振幅値として記憶する再生信号評価装置。
【請求項４】
請求項３に記載の再生信号評価装置において、
前記アナログ再生信号の中央レベルは、同アナログ再生信号のうちで長い周期を有する信号における正負の振幅値の中央値である再生信号評価装置。
【請求項５】
請求項３または請求項４に記載の再生信号評価装置において、
前記アナログ再生信号の中央レベルよりの所定の量は、前記アナログ再生信号における最大の振幅値と前記中央レベルとの差の半分の量である再生信号評価装置。
【請求項６】
請求項１ないし請求項５のうちのいずれか１つに記載の再生信号評価装置において、
前記振幅データ記憶手段は、さらに、
評価対象となる第２のパルス幅に対応する前記アナログ再生信号の振幅内であって、前記抽出する振幅値と同じ極性側の第２閾値を前記アナログ再生信号がクロスしたのち所定の瞬時値に達するまでの時間を閾値超過時間として計測する閾値超過時間計算手段と、
前記閾値超過時間計算手段にて計測された閾値超過時間が、前記評価対象となる第２のパルス幅に対応するか否かを判定する閾値超過時間判定手段とを有し、
前記閾値超過時間判定手段にて前記閾値超過時間が、前記評価対象となる第２のパルス幅に対応すると判定されたとき、前記抽出した振幅値を第２振幅値として記憶し、
前記再生信号評価手段は、さらに、前記振幅データ記憶手段に記憶された第２振幅値をも加えて、前記アナログ再生信号を評価する再生信号評価装置。
【請求項７】
請求項６に記載の再生信号評価装置において、
前記閾値超過時間計算手段における前記所定の瞬時値は、前記抽出する振幅値または前記第２閾値である再生信号評価装置。
【請求項８】
請求項６または請求項７に記載の再生信号評価装置において、
前記再生信号評価手段は、前記振幅データ記憶手段に記憶された第２振幅値を用いて前記アナログ再生信号の評価用パラメータ値を計算して、同計算した評価用パラメータ値に基づいて前記アナログ再生信号を評価する再生信号評価装置。
【請求項９】
請求項１ないし請求項８のうちのいずれか１つに記載の再生信号評価装置において、
前記再生信号評価手段は、前記振幅値抽出手段によって抽出された抽出振幅値を用いて前記アナログ再生信号の評価用パラメータ値を計算して、同計算した評価用パラメータ値に基づいて前記アナログ再生信号を評価する再生信号評価装置。
【請求項１０】
光ディスクに記録された複数種類のパルス幅を持つ一連のパルスからなるディジタル信号をアナログ再生して、評価対象となるパルス幅に対応するアナログ再生信号を評価する光ディスクの再生信号評価方法において、
前記アナログ再生信号を所定のサンプリングレートでサンプリングしてディジタル信号にＡ／Ｄ変換する再生信号サンプリングステップと、
前記再生信号サンプリングステップにてＡ／Ｄ変換したディジタル信号の中から、前記アナログ再生信号における振幅値を表すディジタルデータを複数抽出して第１振幅値として記憶する振幅データ記憶ステップと、
前記振幅データ記憶ステップにて記憶した第１振幅値の度数分布を計算する度数分布計算ステップと、
前記度数分布計算ステップによって計算された度数分布を用いて前記振幅データ記憶ステップにて記憶した第１振幅値の中から、評価対象となる第１のパルス幅に対応した第１振幅値を抽出振幅値として抽出する振幅値抽出ステップと、
前記振幅値抽出ステップによって抽出した抽出振幅値に基づいて、前記アナログ再生信号を評価する再生信号評価ステップとを含むことを特徴とする再生信号評価方法。
【請求項１１】
請求項１０に記載の再生信号評価方法において、
前記振幅データ記憶ステップは、さらに、
前記アナログ再生信号が同アナログ再生信号の振幅範囲内における所定の第１閾値に達するごとに、同アナログ再生信号の振幅値を前記再生信号サンプリングステップにてＡ／Ｄ変換したディジタル信号の中から抽出して第１振幅値として記憶するとともに、前記アナログ再生信号が前記第１閾値に達したのち所定の振幅値に達するまでの時間を計測して振幅値到達時間として前記第１振幅値に対応させて記憶し、
前記度数分布計算ステップは、所定の時間範囲に属する時間を表す前記振幅値到達時間に対応する前記第１振幅値ごとに度数分布を計算して複数の度数分布を計算し、
前記振幅値抽出ステップは、前記度数分布計算ステップによって生成された複数の度数分布ごとに前記振幅データ記憶ステップにて記憶した第１振幅値の中から前記評価対象となる第１のパルス幅に対応した第１振幅値を抽出し、同抽出した複数の度数分布ごとの第１振幅値を抽出振幅値とする再生信号評価方法。
【請求項１２】
請求項１１に記載の再生信号評価方法において、
前記第１閾値は、前記アナログ再生信号の中央レベルより所定の量だけ前記抽出する振幅値とは反対極性側にずれており、
前記振幅データ記憶ステップは、前記第１閾値とは反対極性側の振幅値を前記再生信号サンプリングステップにてＡ／Ｄ変換したディジタル信号の中から抽出して第１振幅値として記憶する再生信号評価方法。
【請求項１３】
請求項１２に記載の再生信号評価方法において、
前記アナログ再生信号の中央レベルは、同アナログ再生信号のうちで長い周期を有する信号における正負の振幅値の中央値である再生信号評価方法。
【請求項１４】
請求項１２または請求項１３に記載の再生信号評価方法において、
前記アナログ再生信号の中央レベルよりの所定の量は、前記アナログ再生信号における最大の振幅値と前記中央レベルとの差の半分の量である再生信号評価方法。
【請求項１５】
請求項１０ないし請求項１４のうちのいずれか１つに記載の再生信号評価方法において、
前記振幅データ記憶ステップは、さらに、
評価対象となる第２のパルス幅に対応する前記アナログ再生信号の振幅内であって、前記抽出する振幅値と同じ極性側の第２閾値を前記アナログ再生信号がクロスしたのち所定の瞬時値に達するまでの時間を閾値超過時間として計測する閾値超過時間計算ステップと、
前記閾値超過時間計算ステップにて計測された閾値超過時間が、前記評価対象となる第２のパルス幅に対応するか否かを判定する閾値超過時間判定ステップとを有し、
前記閾値超過時間判定ステップにて前記閾値超過時間が、前記評価対象となる第２のパルス幅に対応すると判定されたとき、前記抽出した振幅値を第２振幅値として記憶し、
前記再生信号評価ステップは、さらに、前記振幅データ記憶ステップにて記憶した第２振幅値をも加えて、前記アナログ再生信号を評価する再生信号評価方法。
【請求項１６】
請求項１５に記載の再生信号評価方法において、
前記閾値超過時間計算ステップにおける前記所定の瞬時値は、前記抽出する振幅値または前記第２閾値である再生信号評価方法。
【請求項１７】
請求項１５または請求項１６に記載の再生信号評価方法において、
前記再生信号評価ステップは、前記振幅データ記憶ステップにて記憶した第２振幅値を用いて前記アナログ再生信号の評価用パラメータ値を計算して、同計算した評価用パラメータ値に基づいて前記アナログ再生信号を評価する再生信号評価方法。
【請求項１８】
請求項１０ないし請求項１７のうちのいずれか１つに記載の再生信号評価方法において、
前記再生信号評価ステップは、前記振幅値抽出ステップによって抽出した抽出振幅値を用いて前記アナログ再生信号の評価用パラメータ値を計算して、同計算した評価用パラメータ値に基づいて前記アナログ再生信号を評価する再生信号評価方法。
【請求項１９】
光ディスクに記録された複数種類のパルス幅を持つ一連のパルスからなるディジタル信号をアナログ再生する再生部と、評価対象となるパルス幅に対応するアナログ再生信号を評価する再生信号評価部と、メモリ装置を備えるとともにコンピュータプログラムを実行するコンピュータ部とを備えた光ディスクの再生信号評価装置に適用されるコンピュータプログラムであって、前記コンピュータ部に、
前記再生部によりアナログ再生させたアナログ再生信号を所定のサンプリングレートでサンプリングしてディジタル信号にＡ／Ｄ変換させ、
前記Ａ／Ｄ変化したディジタル信号の中から、前記アナログ再生信号における振幅値を表すディジタル信号を複数抽出して第１振幅値として前記メモリ装置に記憶させ、
前記メモリ装置に記憶した第１振幅値の度数分布を計算させ、
前記計算した度数分布を用いて前記メモリ装置に記憶した第１振幅値の中から、評価対象となる第１のパルス幅に対応した第１振幅値を抽出振幅値として抽出させ、
前記抽出した抽出振幅値に基づいて、前記アナログ再生信号を前記再生信号評価部に評価させるようにした再生信号評価用コンピュータプログラム。
【請求項２０】
請求項１９に記載の再生信号評価用コンピュータプログラムにおいて、
前記コンピュータ部に、さらに、
前記アナログ再生信号が同アナログ再生信号の振幅範囲内における所定の第１閾値に達するごとに、同アナログ再生信号の振幅値を前記Ａ／Ｄ変換したディジタル信号の中から抽出して第１振幅値として記憶させるとともに、前記アナログ再生信号が前記第１閾値に達したのち前記振幅値に達するまでの時間を計測して振幅値到達時間として前記第１振幅値に対応させて前記メモリ装置に記憶させ、
前記所定の時間範囲に属する時間を表す前記振幅値到達時間に対応する前記第１振幅値ごとに度数分布を計算して複数の度数分布を生成させ、
前記生成した複数の度数分布ごとに、前記メモリ装置に記憶した第１振幅値の中から前記評価対象となる第１のパルス幅に対応した第１振幅値を抽出し、同抽出した複数の度数分布ごとの第１振幅値を抽出振幅値とさせる再生信号評価用コンピュータプログラム。
【請求項２１】
請求項２０に記載の再生信号評価用コンピュータプログラムにおいて、
前記第１閾値は、前記アナログ再生信号の中央レベルより所定の量だけ前記抽出する振幅値とは反対極性側にずれており、
前記コンピュータ部に、さらに、
前記第１閾値とは反対極性側の振幅値を前記Ａ／Ｄ変換したディジタル信号の中から抽出して第１振幅値として記憶させる再生信号評価用コンピュータプログラム。
【請求項２２】
請求項２１に記載の再生信号評価用コンピュータプログラムにおいて、
前記アナログ再生信号の中央レベルは、同アナログ再生信号のうちで長い周期を有する信号における正負の振幅値の中央値である再生信号評価用コンピュータプログラム。
【請求項２３】
請求項２１または請求項２２に記載の再生信号評価用コンピュータプログラムにおいて、
前記閾値を前記中央レベルからずらす所定の量は、前記アナログ再生信号における最大の振幅値と前記中央レベルとの差の半分の量である再生信号評価用コンピュータプログラム。
【請求項２４】
請求項１９ないし請求項２３のうちのいずれか１つに記載の再生信号評価用コンピュータプログラムにおいて、
前記コンピュータ部に、さらに、
評価対象となる第２のパルス幅に対応する前記アナログ再生信号の振幅内であって、前記抽出する振幅値と同じ極性側の第２閾値を前記アナログ再生信号がクロスしたのち所定の瞬時値に達するまでの時間を閾値超過時間として計測させ、
前記計測した閾値超過時間が、前記評価対象となる第２のパルス幅に対応するか否かを判定させ、
前記閾値超過時間が、前記評価対象となる第２のパルス幅に対応すると判定されたとき、前記抽出した振幅値を第２振幅値として前記メモリ装置に記憶させ、
前記再生信号評価部に、前記メモリ装置に記憶した第２振幅値をも加えて、前記アナログ再生信号を評価させるようにした再生信号評価用コンピュータプログラム。
【請求項２５】
請求項２４に記載の再生信号評価用コンピュータプログラムにおいて、
前記所定の瞬時値は、前記抽出する振幅値または前記第２閾値である再生信号評価用コンピュータプログラム。
【請求項２６】
請求項２４または請求項２５に記載の再生信号評価用コンピュータプログラムにおいて、
前記コンピュータ部に、さらに、
前記メモリ装置に記憶した第２振幅値を用いて前記アナログ再生信号の評価用パラメータ値を計算させ、同計算した評価用パラメータ値に基づいて前記再生信号評価部に前記アナログ再生信号を評価させるようにした再生信号評価用コンピュータプログラム。
【請求項２７】
請求項１９ないし請求項２６のうちのいずれか１つに記載の再生信号評価用コンピュータプログラムにおいて、
前記コンピュータ部に、さらに、
前記抽出した抽出振幅値を用いて前記アナログ再生信号の評価用パラメータ値を計算させ、同計算した評価用パラメータ値に基づいて前記再生信号評価部に前記アナログ再生信号を評価させるようにした再生信号評価用コンピュータプログラム。
【発明の詳細な説明】
【技術分野】
【０００１】
本発明は、ブルーレイディスク（Blu-ray Disk），ＨＤ  ＤＶＤなどの光ディスクに記録された複数種類のパルス幅をもつ一連のパルスからなるディジタル信号をアナログ再生して、同再生したアナログ再生信号を評価する再生信号評価装置、再生信号評価方法および再生信号評価用コンピュータプログラムに関する。
【背景技術】
【０００２】
従来から、複数種類のパルス幅をもつ一連のパルスからなるディジタル信号を記録したブルーレイディスク（Blu-ray Disk），ＨＤ  ＤＶＤなどの光ディスク、または光ディスクに記録された同ディジタル信号をアナログ再生するための光ピックアップなどの再生装置を検査するために、光ディスクに記録されているディジタル信号をアナログ再生して評価対象となるパルス幅に対応するアナログ再生信号を評価することはよく知られている。
【０００３】
この種のアナログ再生信号の評価項目には、変調振幅、アシンメトリなどがある。変調振幅は、例えば、パルス幅が最長である信号の振幅と、パルス幅が最短である信号の振幅との比で評価される。アシンメトリは、例えば、パルス幅が最長である信号の中心レベルと、パルス幅が最短である信号の中心レベルとのずれで評価される。このようなアナログ再生信号の評価においては、光ディスクに順次記録されているディジタル信号の中から評価対象となるパルス幅のアナログ再生信号を正確に抽出する必要がある。現在のＤＶＤシステムにおいては、アナログ再生信号を波形等化回路（すなわちイコライザ）で高域成分を強調させた後、適当なレベルでスライスすることによって信号を２値化し、２値化した信号のパルス幅に従ってアナログ再生信号をパルス幅ごとに分類するようにしていた。
【０００４】
しかしながら、近年、光ディスクの記録密度の向上が進められてきている。この記録密度の向上により、パルス幅の短い信号の振幅が小さくなるとともに、隣接記録されているディジタル信号間の干渉すなわち符号間干渉が強まるという問題があり、アナログ再生信号を適当なレベルでスライスして２値化する方法では、アナログ再生信号をパルス幅ごとに分類することが困難になりつつある。そして、この問題は、パルス幅が短い信号ほど深刻となる。
【０００５】
この問題を解決するために、例えば下記特許文献１には、ＰＲＭＬ(Partial Response and Maximum Likelihood)方式によりアナログ再生信号を２値化信号に復号し、この復号した２値化信号のパルス幅によりアナログ再生信号をパルス幅ごとに分類することが示されている。また、下記特許文献１には、ＲＬＬ(Run Length Limited)(１，７)変調方式で信号を光ディスクに記録した場合、最短のパルス幅は２Ｔであるが、アナログ再生信号の評価において、このパルス幅２Ｔの２値化信号に代えてパルス幅３Ｔの２値化信号を利用することも示されている。すなわち、パルス幅２Ｔに対応する信号の振幅は極めて小さく、前記ＰＲＭＬ方式によりアナログ再生信号を２値化信号に復号しても、復号後のパルス幅２Ｔの２値化信号には再生前のパルス幅３Ｔの２値化信号が含まれている可能性が高い。したがって、アナログ再生信号を分類して得たパルス幅２Ｔに対応する信号を用いてアナログ再生信号を評価しても、高精度の評価結果を得ることができないために、パルス幅２Ｔの次に短いパルス幅３Ｔに対応する信号をアナログ再生信号の評価に利用するようにしている。
【特許文献１】特開２００１−２９１３２５号公報
【０００６】
しかし、光ディスクの高記録密度化が進めば進むほど、パルス幅が短い信号の振幅はより小さくなるので、光ディスクまたは光ピックアップなどの再生装置の検査にとっては、アナログ再生信号の中で最短パルス幅に対応する信号の振幅に関する評価を行うことは重要である。したがって、パルス幅が最短である信号を高精度で分類する必要が生じる。
【発明の開示】
【０００７】
本発明は上記問題に対処するためになされたもので、その目的は、光ディスクにおけるディジタル信号の記録密度が向上しても、パルス幅が最短である信号を他のパルス幅の信号から高精度で分類することにより、アナログ再生信号を高精度で評価できるようにした再生信号評価装置、再生信号評価方法および再生信号評価用コンピュータプログラムを提供することにある。
【０００８】
上記目的を達成するため、本発明の特徴は、光ディスクに記録された複数種類のパルス幅を持つ一連のパルスからなるディジタル信号をアナログ再生して、評価対象となるパルス幅に対応するアナログ再生信号を評価する光ディスクの再生信号評価装置において、アナログ再生信号を所定のサンプリングレートでサンプリングしてディジタル信号にＡ／Ｄ変換する再生信号サンプリング手段と、再生信号サンプリング手段にてＡ／Ｄ変換したディジタル信号の中から、アナログ再生信号における振幅値を表すディジタル信号を複数抽出して第１振幅値として記憶する振幅データ記憶手段と、振幅データ記憶手段に記憶された第１振幅値の度数分布を計算する度数分布計算手段と、度数分布計算手段によって計算された度数分布を用いて振幅データ記憶手段に記憶された第１振幅値の中から、評価対象となる第１のパルス幅に対応した第１振幅値を抽出振幅値として抽出する振幅値抽出手段と、振幅値抽出手段によって抽出された抽出振幅値に基づいて、アナログ再生信号を評価する再生信号評価手段とを備えたことにある。
【０００９】
この場合、前記再生信号評価手段は、振幅値抽出手段によって抽出された抽出振幅値を用いてアナログ再生信号の評価用パラメータ値を計算して、同計算した評価用パラメータ値に基づいてアナログ再生信号を評価するとよい。この場合、評価用パラメータ値としては、抽出振幅値の平均値、中央値、高頻度値、平均値±標準偏差σ、最大値または最小値を用いるとよい。
【００１０】
このように構成した本発明の特徴によれば、再生信号サンプリング手段にてＡ／Ｄ変換したディジタル信号の中からアナログ再生信号における振幅値を複数抽出し、同複数抽出した振幅値の度数分布を計算している。この場合、アナログ再生信号における振幅は信号長が短いほど小さくなり、特に信号長が短い信号は信号長によって振幅値が異なるため、抽出された複数の振幅値は度数分布によってパルス幅ごとに分類される。これにより、パルス幅が最短である信号を他のパルス幅の信号から高精度で分類して抽出できる。そして、再生信号評価手段が高精度で抽出された抽出振幅値に基づいてアナログ再生信号を評価するため、光ディスクに記録された最短のパルス幅のディジタル信号をアナログ再生したアナログ再生信号も精度よく評価されるようになり、光ディスクのディジタル信号の記録密度が向上しても、アナログ再生信号の評価が高精度で行われるようになる。
【００１１】
また、本発明の他の特徴は、前記再生信号評価装置において、振幅データ記憶手段は、さらに、アナログ再生信号が同アナログ再生信号の振幅範囲内における所定の第１閾値に達するごとに、同アナログ再生信号の振幅値を再生信号サンプリング手段にてＡ／Ｄ変換したディジタル信号の中から抽出して第１振幅値として記憶するとともに、アナログ再生信号が第１閾値に達したのち前記振幅値に達するまでの時間を計測して振幅値到達時間として第１振幅値に対応させて記憶し、度数分布計算手段は、所定の時間範囲に属する時間を表す前記振幅値到達時間に対応する第１振幅値ごとに度数分布を計算して複数の度数分布を生成し、振幅値抽出手段は、度数分布計算手段によって生成された複数の度数分布ごとに振幅データ記憶手段に記憶された第１振幅値の中から評価対象となる第１のパルス幅に対応した第１振幅値を抽出し、同抽出した複数の度数分布ごとの第１振幅値を抽出振幅値としたことにある。
【００１２】
このように構成した本発明の特徴によれば、振幅データ記憶手段は、アナログ再生信号における振幅範囲内に設定した第１閾値に同アナログ再生信号が達するごとに、同アナログ再生信号が第１閾値に達して抽出対象となる振幅値（第１振幅値）に達するまでの時間である振幅値到達時間を前記第１振幅値に対応させて記憶している。そして、所定の時間内に含まれる振幅値到達時間に対応する第１振幅値ごとに複数の度数分布を計算するとともに、同複数の各度数分布ごとに第１振幅値を抽出し同抽出した第１振幅値を抽出振幅値としている。この場合、各パルス幅間において同じ振幅値であっても同振幅値に至る振幅値到達時間がパルス幅ごとに異なるため、各度数分布において第１振幅値の度数がパルス幅ごとに偏り、評価対象となるパルス幅に対応する第１振幅値だけを抽出することができる。そして、所定時間ごとに抽出した第１振幅値をまとめて抽出振幅値としている。このため、再生信号サンプリング手段から抽出した第１振幅値が各パルス幅ごとに広く分布している場合であっても、所定の時間内における第１振幅値の度数分布により高精度に抽出振幅値を抽出することができる。これにより、上記と同様な効果が期待できる。
【００１３】
また、この場合、前記第１閾値は、アナログ再生信号の中央レベルより所定の量だけ前記抽出する振幅値とは反対極性側にずれており、前記振幅データ記憶手段は、第１閾値とは反対極性側の振幅値を再生信号サンプリング手段にてＡ／Ｄ変換したディジタル信号の中から抽出して第１振幅値として記憶するとよい。この場合、アナログ再生信号の中央レベルを、同アナログ再生信号のうちで長い周期を有する信号における正負の振幅値の中央値とするとよい。また、前記アナログ再生信号の中央レベルよりの所定の量を、アナログ再生信号における最大の振幅値と前記中央レベルとの差の半分の量にするとよい。
【００１４】
これによれば、抽出対象となる振幅値とは反対極性側に第１閾値を設定して、同第１閾値に達した後のアナログ再生信号の振幅値をＡ／Ｄ変換したディジタルデータの中から抽出している。すなわち、各振幅値の反対極性側にアナログ再生信号を検出する第１閾値を設けて、換言すれば、同第１閾値をアナログ再生信号における中央レベルより所定量だけ抽出する振幅値とは反対極性側に下げて（または上げて）、振幅の小さい信号（具体的にはパルス幅の短い信号）の振幅値を検出し易くしている。そして、第１閾値に達したアナログ再生信号の振幅値を度数分布を用いてパルス幅ごとに分類している。これにより、上記と同様な効果が期待できる。
【００１５】
また、本発明の他の特徴は、前記振幅データ記憶手段は、さらに、評価対象となる第２のパルス幅に対応するアナログ再生信号の振幅内であって、前記抽出する振幅値と同じ極性側の第２閾値をアナログ再生信号がクロスしたのち所定の瞬時値に達するまでの時間を閾値超過時間として計測する閾値超過時間計算手段と、閾値超過時間計算手段にて計測された閾値超過時間が、前記評価対象となる第２のパルス幅に対応するか否かを判定する閾値超過時間判定手段とを有し、閾値超過時間判定手段にて閾値超過時間が、前記評価対象となる第２のパルス幅に対応すると判定されたとき、前記抽出した振幅値を第２振幅値として記憶し、再生信号評価手段は、さらに、振幅データ記憶手段に記憶された第２振幅値をも加えて、アナログ再生信号を評価することにある。
【００１６】
この場合、前記閾値超過時間計算手段における前記所定の瞬時値を、前記抽出する振幅値または前記第２閾値とするとよい。また、前記再生信号評価手段は、振幅データ記憶手段に記憶された第２振幅値を用いてアナログ再生信号の評価用パラメータ値を計算して、同計算した評価用パラメータ値に基づいてアナログ再生信号を評価するとよい。この場合、評価用パラメータ値としては、第２振幅値の平均値、中央値、高頻度値、平均値±標準偏差σ、最大値または最小値を用いるとよい。
【００１７】
このように構成した本発明の他の特徴によれば、評価対象となる第２のパルス幅に対応する振幅レベルであって抽出する振幅値と同じ極性側の第２閾値をアナログ再生信号がクロスして抽出する振幅値または第２閾値に達するまでの時間、すなわち閾値超過時間によって、評価対象となる第２のパルス幅に対応する振幅値を前記Ａ／Ｄ変換したディジタルデータの中から抽出している。このため、第２閾値に達しないアナログ再生信号、すなわち評価対象となる第２のパルス幅に対応する振幅より小さい振幅のアナログ再生信号を除外して、評価対象となる第２のパルス幅に対応する振幅のアナログ再生信号の振幅値のみを第２振幅値として抽出することができる。これにより、効率良く評価対象となるパルス幅に対応する振幅のアナログ再生信号の振幅値を抽出することができ、アナログ再生信号の評価を効率的に行うことができる。なお、この場合、複数存在する評価対象となるパルス幅のうち、振幅の大きい方に第２閾値を対応させることにより、同振幅の大きい方の評価対象となるパルス幅に対応するアナログ再生信号の振幅値を効率よく抽出することができる。
【００１８】
また、本発明は装置の発明として実施できるばかりでなく、方法の発明およびコンピュータプログラムの発明としても実施できるものである。
【発明を実施するための最良の形態】
【００１９】
以下、本発明に係る再生信号評価装置の一実施形態について図面を参照しながら説明する。図１は、ブルーレイディスク（Blu-ray Disk），ＨＤ  ＤＶＤなどの光ディスクＤＫを検査する光ディスク検査装置の全体概略図である。
【００２０】
この光ディスク検査装置は、光ディスクＤＫを検査対象とするもので、光ディスクＤＫが載置固定されるターンテーブル１１および同ターンテーブル１１上に載置固定される光ディスクＤＫに対向する位置に光ピックアップ１２を備えている。ターンテーブル１１は、図示しないスピンドルモータによって回転制御されて、光ディスクＤＫ上に形成される光スポットが光ディスクＤＫに対して線速度一定で回転するようになっている。また、光ディスクＤＫ上に形成される光スポットは、スピンドルモータまたは光ピックアップ１２を光ディスクＤＫの径方向へ移動させることにより光ディスクＤＫに対して径方向へ移動し、これにより、光スポットは光ディスクＤＫ上を螺旋状に移動する。
【００２１】
光ピックアップ１２は、光ディスクＤＫに記録されたディジタル信号を再生するものであり、レーザ光源、コリメーティングレンズ、ビームスプリッタ、１／４波長板、対物レンズ、集光レンズ、シリンドリカルレンズ、４分割フォトディテクタ、フォーカスアクチュエータ、トラッキングアクチュエータなどを備えている。そして、この光ピックアップ１２は、レーザ光源からのレーザ光を光ディスクＤＫに照射して光ディスクＤＫ上に光スポットを形成し、同光ディスクＤＫからの光スポットによる反射光を４分割フォトディテクタで受光する。なお、光ディスクＤＫ上に形成される光スポットは、４分割フォトディテクタから出力される受光信号に基づいて、フォーカスサーボ制御回路、トラッキングサーボ制御回路、フォーカスアクチュエータおよびトラッキングアクチュエータによりフォーカスサーボ制御されるとともにトラッキングサーボ制御されるが、これらのサーボ制御は本発明に直接関係しないので、詳しい説明は省略する。
【００２２】
光ピックアップ１２の４分割フォトディテクタからの受光信号は、増幅回路１３によって増幅されて、再生信号生成回路１４を介してアナログ／ディジタル変換器（以下、Ａ／Ｄ変換器という）１５に導かれる。再生信号生成回路１４は、４分割フォトディテクタからの４個の受光信号を全て合算した再生信号（いわゆる、ＳＵＭ信号）を生成して出力する。この再生信号生成回路１４から出力される再生信号が本発明のアナログ再生信号に対応するもので、この再生信号は光ディスクＤＫに記録されているディジタル信号を表すものである。このディジタル信号は、例えばＲＬＬ(２，１１)変調された信号の場合、２Ｔ〜１１Ｔのパルス幅をそれぞれ有する９種類の２値化信号が含まれている。
【００２３】
Ａ／Ｄ変換器１５は、クロック信号発生回路１６からのクロック信号の入力毎に再生信号生成回路１４からの再生信号をサンプリングホールドして、同サンプリングホールドした再生信号の瞬時値をＡ／Ｄ変換し、同瞬時値を表すディジタル信号、具体的にはサンプリング時における再生信号の電圧値を表す波形値データおよび同サンプリング時におけるタイミングを表すタイミングデータからなる波形データを前記クロック信号の周期ごとに出力する。なお、本実施形態では光ディスクとしてＨＤ  ＤＶＤを採用しており、ＨＤ  ＤＶＤの基準クロック周波数（すなわち、サンプリング周波数）は６４．８MHzであるので、クロック信号発生回路１４からのクロック信号の周波数はＨＤ  ＤＶＤの基準クロック周波数の２倍以上（すなわち、１２９．６MHｚ以上）であればよいが、本実施形態では約２００MHzである。また、このクロック信号は、光ディスクＤＫに記録されている信号の基準クロックとは無関係である。
【００２４】
Ａ／Ｄ変換器１５には、再生信号をＡ／Ｄ変換したディジタル信号（波形データ）を記憶するための外部記憶回路１７が接続されている。この外部記憶回路１７は、コンピュータ２０によりデータの書き込みおよび読み出しが制御されるようになっている。本実施形態では、この外部記憶回路１７としてＲＡＭを用いているが、データの書き込みおよび読み出しが可能であれば、他の記録媒体を用いてもよい。
【００２５】
コンピュータ２０は、ＣＰＵ、ＲＯＭ、ＲＡＭ、ハードディスクなどからなるマイクロコンピュータによって構成されており、キーボード、マウスなどからなる入力装置２１からの指示に従って図３に示す再生信号評価プログラム（図４〜図８に示す振幅データ抽出サブプログラムおよび図１１に示す振幅値抽出サブプログラムを含む）を実行することにより再生信号を評価して光ディスクＤＫの検査を行う。また、コンピュータ２０は、光ディスクＤＫの検査の実行過程および実行結果を、ＣＲＴ（または液晶ディスプレイ）、プリンタなどからなる表示装置２２に適宜表示させる。このコンピュータ２０に内蔵されているＲＡＭ、ハードディスクなどには、外部記憶回路１７に記憶されている波形データを読み出して一時的に記憶するための記憶領域が用意されており、以降この記憶領域をメモリ２０ａという。
【００２６】
次に、上記のように構成した実施形態の動作について説明する。まず、作業者は図示しない電源スイッチの投入により、コンピュータ２０を含む光ディスク検査装置の各種回路の作動を開始させるとともに、検査対象となる光ディスクＤＫ（本実施形態ではＨＤ  ＤＶＤ）をターンテーブル１１に載置固定して入力装置２１を操作することにより光ディスクＤＫの検査をコンピュータ２０に指示する。この場合、検査対象となる光ディスクＤＫの記録領域の一部には、複数種類のパルス幅をもつ一連のディジタル信号からなる光ディスクＤＫの検査用信号が予め記録されている。また、この光ディスクＤＫの検査においては、光ディスクＤＫに記録された検査用信号のうち最短のパルス幅（本実施形態では２Ｔ）および最長のパルス幅（本実施形態では１１Ｔ）にそれぞれ対応する再生信号の振幅値（ピーク値およびボトム値）を用いて変調振幅またはアシンメトリなどの各評価項目を計算して再生信号を評価することにより光ディスクＤＫの良否判定を行うものである。
【００２７】
この光ディスクＤＫの検査開始の指示により、光ピックアップ１２からのレーザ光により光ディスクＤＫ上に光スポットが形成され、同光スポットからの反射光による受光信号が光ピックアップ１２から増幅回路１３を介して再生信号生成回路１４に出力される。再生信号生成回路１４は、この受光信号から再生信号を生成して、Ａ／Ｄ変換器１５に出力する。図２は再生信号生成回路１４から出力される再生信号の一部を示している。Ａ／Ｄ変換器１５は、クロック信号発生回路１６からのクロック信号の周期（約２００MHzに相当する周期）で、再生信号の瞬時値をＡ／Ｄ変換して繰り返し外部記憶回路１７に出力する。このとき、光スポットは、ターンテーブル１１の回転およびターンテーブル１１（または光ピックアップ１２）の光ディスクＤＫの径方向への移動により、光ディスクＤＫに対して相対的に線速度一定で螺旋状に光ディスクＤＫ上を移動する。
【００２８】
一方、コンピュータ２０は、図３に示す再生信号評価プログラムの実行をステップＳ１００にて開始し、ステップＳ１０２にて外部記憶回路１７に対して再生信号の波形データの記憶を指示する。この再生信号の波形データの記憶の指示においては、予め決められた所定量のデータ（本実施形態では、光ディスクＤＫの一回転分に相当するデータ）の記憶が指示され、外部記憶回路１７は、Ａ／Ｄ変換器１５で再生信号をＡ／Ｄ変換してディジタル信号によって表された波形データを所定量だけ記憶する。この波形データは、前記したようにサンプリング時における電圧値を表す波形値データと、同サンプリング時におけるタイミング（所定の時刻からの経過時間を表すタイミング）を表すタイミングデータとからなる。
【００２９】
次に、コンピュータ２０は、ステップＳ１０４にて、外部記憶回路１７に記憶した一連の波形データにおける波形値データを用いて、トリガレベルＴＲｕ,ＴＲｄおよびスライスレベルＳＬｕ,ＳＬｄをそれぞれ計算する。トリガレベルＴＲｕ,ＴＲｄは、再生信号における正負の振幅値をそれぞれ抽出するために設定されるレベルであり、本発明に係る第１閾値に対応する。このトリガレベルＴＲｕ,ＴＲｄは、本実施形態においては、下記式１および式２によってそれぞれ計算される。下記式１および式２において、Ｍａｘは外部記憶回路１７に記憶した一連の波形値データのうちで正側の最大振幅値（ピーク値）を表し、Ｍｉｎは外部記憶回路１７に記憶した一連の波形値データのうちで負側の最大振幅値（ボトム値）を表し、ＡｖｅはＭａｘとＭｉｎとの合算値を２で除した中央値を表している。
ＴＲｕ＝（Ａｖｅ＋Ｍａｘ）／２      …式１
ＴＲｄ＝（Ａｖｅ＋Ｍｉｎ）／２      …式２
【００３０】
なお、中央レベルＡｖｅは、外部記憶回路１７に記憶した一連の波形値データのうち比較的長い周期の正負の振幅値の中央値付近の値であればよく、例えば、本実施形態においては、５Ｔ〜１１Ｔのいずれかの周期の正負の振幅値を２で除した値を用いてもよい。また、これら５Ｔ〜１１Ｔの各振幅の中央レベルの平均値を中央レベルＡｖｅとしてもよい。
【００３１】
すなわち、トリガレベルＴＲｕは、ＡｖｅとＭａｘとの中間レベルに設定され、トリガレベルＴＲｄは、ＡｖｅとＭｉｎとの中間レベルに設定される。この場合、トリガレベルＴＲｕは再生信号における負側の振幅値（ボトム値）の抽出に用いられ、トリガレベルＴＲｄは再生信号における正側の振幅値（ピーク値）の抽出に用いられる。これは、再生信号における正負の各振幅値を抽出するために、各振幅値の反対極性側に再生信号を検出するレベルを設けて、換言すれば、再生信号を検出するレベルを再生信号における正負の最大振幅値の中央レベルＡｖｅより所定量だけ抽出する振幅値とは反対極性側に下げて（または上げて）、振幅の小さい信号（具体的にはパルス幅の短い信号）の振幅値をより多く抽出するためである。したがって、トリガレベルＴＲｕ，ＴＲｄは、抽出する各振幅値のそれぞれ反対極性側に再生信号における正負の最大振幅値の中央レベルＡｖｅより所定量だけずらして設定するようにすれば上記式１および式２に限定されない。この場合、トリガレベルＴＲｕ，ＴＲｄをずらす前記所定量は、同トリガレベルＴＲｕ，ＴＲｄが再生信号における正負の最大振幅値の中央レベルＡｖｅから正負の各最大振幅値までの中間レベル（本実施形態におけるトリガレベルＴＲｕ，ＴＲｄ）付近に位置する量が好適である。
【００３２】
また、スライスレベルＳＬｕ，ＳＬｄは、評価対象となるパルス幅のうち最長のパルス幅（１１Ｔ）に対応する再生信号の振幅値を抽出するために設定されるレベルであり、本発明に係る第２閾値に対応する。本実施形態においては、下記式３および式４によって計算される。下記式３および式４において、Ｍａｘ，Ｍｉｎ，Ａｖｅは、上記式１および式２と同様である。
ＳＬｕ＝Ａｖｅ＋（Ｍａｘ−Ａｖｅ）×２／３      …式３
ＳＬｄ＝Ａｖｅ＋（Ｍｉｎ−Ａｖｅ）×２／３      …式４
【００３３】
すなわち、スライスレベルＳＬｕは、ＡｖｅとＭａｘとの間の２／３のレベルに設定され、スライスレベルＳＬｄは、ＡｖｅとＭｉｎとの間の２／３のレベルに設定される。この場合、スライスレベルＳＬｕは再生信号における正側の振幅値の抽出に用いられ、スライスレベルＳＬｄは再生信号における負側の振幅値の抽出に用いられる。具体的には、再生信号がスライスレベルＳＬｕ，ＳＬｄを超えている間の時間により評価対象となるパルス幅に対応する再生信号の振幅値を抽出する。したがって、スライスレベルＳＬｕ，ＳＬｄは、評価対象となるパルス幅に対応する再生信号の振幅の範囲内であって、抽出する振幅値と同じ極性側に設定されれば上記式３および式４に限定されない。なお、スライスレベルＳＬｕ，ＳＬｄは、評価対象となるパルス幅に対応する再生信号の振幅に応じて設定され、本実施形態のように評価対象となるパルス幅が、同パルス幅のうち最長のパルス幅（１１Ｔ）である場合には、スライスレベルＳＬｕ，ＳＬｄは、ＡｖｅとＭａｘまたはＭｉｎとの間の２／３のレベル付近が好適である。
【００３４】
次に、コンピュータ２０は、ステップＳ１０６にて、外部記憶回路１７に記憶した一連の波形データの中から振幅データを抽出する。振幅データは、再生信号がトリガレベルＴＲｕまたはＴＲｄを各外側から内側に向けてクロスした後の正負の振幅値に対応する振幅値ＬＳＷ，ＨＳＷおよび振幅値到達時間ＬＳＴ，ＨＳＴと、同再生信号がスライスレベルＳＬｕまたはＳＬｄを内側から外側に向けてクロスした後の正負の振幅値に対応する振幅値ＨＬＷ，ＬＬＷおよび振幅値到達時間ＨＬＴ，ＬＬＴとから構成される。これらのうち、振幅値ＬＳＷは再生信号がトリガレベルＴＲｕを上側から下側にクロスした直後の負側の振幅値（ボトム値）を表し、振幅値ＨＳＷは再生信号がトリガレベルＴＲｄを下側から上側にクロスした直後の正側の振幅値（ピーク値）を表している。そして、振幅値到達時間ＬＳＴは再生信号がトリガレベルＴＲｕを上側から下側にクロスして振幅値ＬＳＷに達するまでの時間を表し、振幅値到達時間ＨＳＴは再生信号がトリガレベルＴＲｄを下側から上側にクロスして振幅値ＨＳＷに達するまでの時間を表している。
【００３５】
また、振幅値ＨＬＷは評価対象のパルス幅のうち最長のパルス幅（１１Ｔ）に対応する再生信号がスライスレベルＳＬｕを下側から上側にクロスした直後の正側の振幅値（ピーク値）を表し、振幅値ＬＬＷは同最長のパルス幅（１１Ｔ）に対応する再生信号がスライスレベルＳＬｄを上側から下側にクロスした直後の負側の振幅値（ボトム値）を表している。そして、振幅値到達時間ＨＬＴは同最長のパルス幅（１１Ｔ）に対応する再生信号がスライスレベルＳＬｕを下側から上側にクロスして振幅値ＨＬＷに達するまでの時間を表し、振幅値到達時間ＬＬＴは同最長のパルス幅（１１Ｔ）に対応する再生信号がスライスレベルＳＬｄを上側から下側にクロスして振幅値ＬＬＷに達するまでの時間を表している。なお、振幅値ＨＳＷ，ＬＳＷが本実施形態に係る第１振幅値に対応し、振幅値ＨＬＷ，ＬＬＷが本実施形態に係る第２振幅値に対応する。また、振幅値到達時間ＨＳＴ，ＬＳＴが本実施形態に係る振幅値到達時間に対応する。この振幅データは、図４〜図８に示す振幅データ抽出サブプログラムによって抽出される。
【００３６】
振幅データ抽出サブプログラムは、ステップＳ２００にて実行を開始して、ステップＳ２０２にて、検出対象となる再生信号の振幅値の属する範囲を示す指標値Ｓ、再生信号の瞬時値の変化状態を検出するためのカウント値ｐ，ｅ、外部記憶回路１７に記憶した一連の波形データを指定するための番地ｎ、再生信号の正側の振幅値ＨＳＷおよび振幅値到達時間ＨＳＴを指定するための変数ｋ、同再生信号の負側の振幅値ＬＳＷおよび振幅値到達時間ＬＳＴを指定するための変数ｍ、評価対象となる最長のパルス幅（１１Ｔ）に対応する再生信号の正側の振幅値ＨＬＷおよび振幅値到達時間ＨＬＴを指定するための変数ｖおよび同最長のパルス幅（１１Ｔ）に対応する再生信号の負側の振幅値ＬＬＷおよび振幅値到達時間ＬＬＴを指定するための変数ｔを、それぞれ「０」にセットする。
【００３７】
次に、コンピュータ２０は、ステップＳ２０４にて番地ｎをインクリメントした後、ステップＳ２０６にて、外部記憶回路１７に記憶した波形データにおける波形値データの中から番地ｎおよびｎ＋１で指定される連続する２つの波形値データをそれぞれ第１波形値Ｗ１，第２波形値Ｗ２としてメモリ２０ａ内に記憶する。そして、ステップＳ２０８〜Ｓ２１４の各判定処理によって、トリガレベルＴＲｕまたはＴＲｄの各外側から同トリガレベルＴＲｕまたはＴＲｄの各内側に向かって再生信号がクロスする直前直後の波形値データを検出する。
【００３８】
具体的には、ステップＳ２０８およびステップＳ２１０において、第１波形値Ｗ１および第２波形値Ｗ２がそれぞれトリガレベルＴＲｕ以上であるか否かを判定し、第１波形値Ｗ１がトリガレベルＴＲｕ以上（「Ｙｅｓ」と判定）であって第２波形値Ｗ２が同トリガレベルＴＲｕ未満（「Ｎｏ」と判定）である場合にステップＳ２１６に進む。すなわち、第１波形値Ｗ１から第２波形値Ｗ２に変化する間にトリガレベルＴＲｕを上側から下側にクロス（接する場合も含む）した場合にはステップＳ２１６に進む。また、ステップＳ２０８の判定処理において第１波形値Ｗ１がトリガレベルＴＲｕ未満（「Ｎｏ」と判定）である場合には、ステップＳ２１２の判定処理に進む。また、ステップＳ２１０の判定処理において、第２波形値Ｗ２がトリガレベルＴＲｕ以上（「Ｙｅｓ」と判定）の場合、すなわち第１波形値Ｗ１および第２波形値Ｗ２がともにトリガレベルＴＲｕ以上である場合にはステップＳ２０４に戻る。
【００３９】
一方、ステップＳ２１２およびステップＳ２１４においては、第１波形値Ｗ１および第２波形値Ｗ２がそれぞれトリガレベルＴＲｄ以下であるか否かを判定し、第１波形値Ｗ１がトリガレベルＴＲｄ以下（「Ｙｅｓ」と判定）であって第２波形値Ｗ２が同トリガレベルＴＲｄより大きい（「Ｎｏ」と判定）場合にステップＳ２１６に進む。すなわち、第１波形値Ｗ１から第２波形値Ｗ２に変化する間にトリガレベルＴＲｄを下側から上側にクロス（接する場合も含む）した場合にはステップＳ２１６に進む。また、ステップＳ２１２の判定処理において第１波形値Ｗ１がトリガレベルＴＲｄより大きい（「Ｎｏ」と判定）場合、すなわち第１振幅値Ｗ１がトリガレベルＴＲｕとトリガレベルＴＲｄとの間の値である場合には、ステップＳ２０４に戻る。また、ステップＳ２１４の判定処理において第２波形値Ｗ２がトリガレベルＴＲｄ以下の場合、すなわち第１波形値Ｗ１および第２波形値Ｗ２がともにトリガレベルＴＲｄ以下である場合にはステップＳ２０４に戻る。
【００４０】
これらのステップＳ２０４〜Ｓ２１４の循環処理によって、再生信号がトリガレベルＴＲｕまたはＴＲｄの各外側から各内側に向かってクロスする直前直後の波形値データがそれぞれ第１波形値Ｗ１および第２波形値Ｗ２として検出される。次に、ステップＳ２１６にて、外部記憶回路１７に記憶した波形データにおけるタイミングデータの中から番地ｎおよびｎ＋１で指定される連続する２つのタイミングデータを第１タイミング値Ｔ１および第２タイミング値Ｔ２としてメモリ２０ａ内に記憶する。この場合、タイミングデータの中から番地ｎおよびｎ＋１で指定される連続する２つのタイミングデータは、再生信号がトリガレベルＴＲｕまたはＴＲｄをクロスする直前直後の波形値データである第１波形値Ｗ１および第２波形値Ｗ２にそれぞれ対応するタイミングデータである。
【００４１】
次に、コンピュータ２０は、ステップＳ２１８にて番地ｎをインクリメントした後、ステップＳ２２０にて、第２波形値Ｗ２が第１波形値Ｗ１より小さいか否かを判定し、同第２波形値Ｗ２が第１波形値Ｗ１より小さい場合には、同判定において「Ｙｅｓ」と判定されてステップＳ３００に進む。すなわち、再生信号がトリガレベルＴＲｕを上側から下側にクロスする場合には、ステップＳ３００に進む。一方、第２波形値Ｗ２が第１波形値Ｗ１より大きい場合には、同判定において「Ｎｏ」と判定されてステップＳ４００に進む。すなわち、再生信号がトリガレベルＴＲｄを下側から上側にクロスする場合には、ステップＳ４００に進む。
【００４２】
この場合、ステップＳ３００〜Ｓ３８６の各処理は、波形データにおける負側の振幅値ＬＳＷ，ＬＬＷおよび振幅値到達時間ＬＳＴ，ＬＬＴを抽出および計算するためのステップであり、ステップＳ４００〜Ｓ４８６の各処理は、波形データにおける正側の振幅値ＨＳＷ，ＨＬＷおよび振幅値到達時間ＨＳＴ，ＨＬＴを抽出および計算するためのステップである。まず、ステップＳ３００〜Ｓ３８６の各処理について説明する。
【００４３】
ステップＳ３００においては、再生信号がトリガレベルＴＲｕをクロスするタイミングＴＲＰを計算する。具体的には、番地ｎおよびｎ＋１によって指定される波形値データおよびタイミングデータ、すなわち再生信号がトリガレベルＴＲｕをクロスする直前直後の第１波形値Ｗ１，第２波形値Ｗ２および第１タイミング値Ｔ１，第２タイミング値Ｔ２を用いて下記式５の補間演算により計算する。
ＴＲＰ＝Ｔ１＋（Ｔ２−Ｔ１）×（ＴＲｕ−Ｗ１）／（Ｗ２−Ｗ１）      …式５
【００４４】
次に、ステップＳ３０２にて第１振幅値Ｗ１、第２振幅値Ｗ２、第１タイミング値Ｔ１および第２タイミング値Ｔ２をそれぞれメモリ２０ａ内から消去した後、図５に示すステップＳ３０４にて番地ｎによって指定される波形値データ、すなわち再生信号がトリガレベルＴＲｕをクロスした直後の波形値データを第２波形値Ｗ２としてメモリ２０ａに記憶させ、ステップＳ３０６にて番地ｎをインクリメントする。
【００４５】
次に、コンピュータ２０は、ステップＳ３０８にて、前記ステップＳ３０４にて第２波形値Ｗ２として記憶した波形値データの次の波形値データが存在するか否かを判定し、同次の波形値データが存在する限り、同判定において「Ｙｅｓ」と判定されてステップＳ３１０に進む。ステップＳ３１０においては、番地ｎによって指定される波形値データ、すなわち第２波形値Ｗ２として記憶した波形値データの次の波形値データを記憶する。そして、ステップＳ３１２にて、第１波形値Ｗ１が第２波形値Ｗ２より小さいか否かを判定し、同第１波形値Ｗ１が第２波形値Ｗ２より小さい場合には、同判定において「Ｙｅｓ」と判定されてステップＳ３１３に進む。すなわち、再生信号が負側に変化している場合には、ステップＳ３１３に進む。一方、第１波形値Ｗ１が第２波形値以上の場合には、同判定において「Ｎｏ」と判定されてステップＳ３３４に進む。すなわち、再生信号の振幅値が変化しない、または正側に変化した場合には、ステップＳ３３４に進む。換言すれば、このステップＳ３１２の判定処理は、再生信号における負側の振幅値（ボトム値）を検出している。
【００４６】
まず、ステップＳ３１２の判定処理にて再生信号における負側の振幅値（ボトム値）が検出されない場合（「Ｙｅｓ」と判定された場合）、すなわち再生信号が負側に変化している場合について説明する。コンピュータ２０は、詳しくは後述するステップＳ３１３の処理を介してステップＳ３１４にて、指標値Ｓの値が「１」以上であるか否かを判定し、指標値Ｓの値が「１」以上である場合には、同判定において「Ｙｅｓ」と判定されてステップＳ３１６およびステップＳ３１８をスキップしてステップＳ３２０に進む。一方、指標値Ｓの値が「１」未満、すなわち「０」である場合には、同判定において「Ｎｏ」と判定されてステップＳ３１６に進む。ステップＳ３１６においては、第１波形値Ｗ１がトリガレベルＴＲｄ以下であるか否かを判定し、同第１波形値がトリガレベルＴＲｄ以下である場合には、同判定において「Ｙｅｓ」と判定されてステップＳ３１８に進み、同ステップＳ３１８にて指標値Ｓに「１」をセットする。一方、第１波形値Ｗ１がトリガレベルＴＲｄより大きい場合には、同判定において「Ｎｏ」と判定されてステップＳ３１８をスキップしてステップＳ３２０に進む。すなわち、ステップＳ３１４〜Ｓ３１８の各処理によって、再生信号がトリガレベルＴＲｄを上側から下側にクロスしたことが指標値Ｓの値（「１」）によって表される。
【００４７】
次に、ステップＳ３２０においては、指標値Ｓの値が「２」であるか否かを判定し、指標値Ｓの値が「２」である場合には、同判定において「Ｙｅｓ」と判定されてステップＳ３２２〜Ｓ３３０をスキップしてステップＳ３３２に進む。一方、指標値Ｓの値が「２」以外であれば、同判定において「Ｎｏ」と判定されてステップＳ３２２に進む。ステップＳ３２２では、第１波形値Ｗ１がスライスレベルＳＬｄ以下であるか否かを判定し、同第１波形値Ｗ１がスライスレベルＳＬｄ以下である場合には、同判定において「Ｙｅｓ」と判定されてステップＳ３２４に進み、同ステップＳ３２４にて指標値Ｓに「２」をセットする。一方、第１波形値Ｗ１がスライスレベルＳＬｄより大きい場合には、同判定において「Ｎｏ」と判定されてステップＳ３２４〜Ｓ３３０をスキップしてステップＳ３３２に進む。すなわち、ステップＳ３２０〜Ｓ３２４の各処理によって、再生信号がスライスレベルＳＬｄを上側から下側にクロスしたことが指標値Ｓの値（「２」）によって表される。
【００４８】
ステップＳ３２２の判定処理にて「Ｙｅｓ」と判定された場合、すなわち再生信号がスライスレベルＳＬｄを上側から下側にクロスした場合、コンピュータ２０は、ステップＳ３２６にて、番地ｎ−１およびｎによって指定される２つの連続するタイミングデータ、すなわち再生信号がスライスレベルＳＬｄをクロスする直前直後のタイミングデータをそれぞれ第２タイミング値Ｔ２および第３タイミング値Ｔ３としてメモリ２０ａに記憶する。そして、ステップＳ３２８にて、番地ｎ−１によって指定される波形値データ、すなわち再生信号がスライスレベルＳＬｄをクロスする直前の波形値データを第３波形値Ｗ３としてメモリ２０ａに記憶する。次に、コンピュータ２０は、ステップＳ３３０にて、再生信号がスライスレベルＳＬｄをクロスするタイミングＳＬＰ１を計算する。具体的には、番地ｎ−１およびｎによって指定される波形値データおよびタイミングデータ、すなわち再生信号がスライスレベルＳＬｄをクロスする直前直後の第３波形値Ｗ３，第１波形値Ｗ１，第３タイミング値Ｔ３および第２タイミング値Ｔ２を用いて下記式６による補間演算により計算する。
ＳＬＰ１＝Ｔ３＋（Ｔ２−Ｔ３）×（Ｓｌｄ−Ｗ３）／（Ｗ１−Ｗ３）      …式６
【００４９】
そして、ステップＳ３３２にて、第１波形値Ｗ１を第２波形値Ｗ２として記憶するとともに、同第１波形値Ｗ１および第２波形値Ｗ２に対応する番地ｎによって指定されるタイミングデータを第１タイミング値Ｔ１として記憶した後、ステップＳ３０６に戻る。すなわち、ステップＳ３０６〜Ｓ３３２の循環処理においては、トリガレベルＴＲｕをクロスした再生信号が負側の振幅値（ボトム値）に達するまで繰り返し実行され、その間、同再生信号が負側のトリガレベルＴＲｄおよびスライスレベルＳＬｄをクロスしたか否かをそれぞれ検出している。そして、再生信号における負側の最大振幅の波形値データを第２波形値Ｗ２に更新記憶するとともに、同波形値データに対応するタイミングデータを第１タイミング値Ｔ１として更新記憶する。また、再生信号がスライスレベルＳＬｄをクロスした場合には、同クロスしたタイミングＳＬＰ１を計算する。
【００５０】
次に、前記ステップＳ３１２の判定処理にて再生信号における負側の振幅値（ボトム値）が検出された場合（「Ｎｏ」と判定された場合）、すなわち再生信号の振幅値が変化しない、または正側に変化した場合について説明する。コンピュータ２０は、ステップＳ３３４にて、指標値Ｓの値が「１」以上であるか否かを判定し、指標値Ｓの値が「１」以上、具体的には「１」または「２」である場合には、同判定において「Ｙｅｓ」と判定されてステップＳ３４２に進む。すなわち、再生信号がトリガレベルＴＲｄまたはスライスレベルＳＬｄをクロスした場合には、ステップＳ３４２に進む。一方、指標値Ｓの値が「１」未満、具体的には「０」である場合には、同判定において「Ｎｏ」と判定されてステップＳ３３６に進み、同ステップＳ３３６にてカウント値ｅをインクリメントする。すなわち、再生信号がトリガレベルＴＲｄおよびスライスレベルＳＬｄに達しなかった場合には、ステップＳ３３６に進む。
【００５１】
次に、ステップＳ３３８にて、カウント値ｅが「５」より大きいか否かを判定し、カウント値ｅが「５」より大きくなるまで同判定において「Ｎｏ」と判定されてステップＳ３０６に戻る。このステップＳ３３８による判定処理が実行される場合とは、前記したように再生信号がトリガレベルＴＲｄおよびスライスレベルＳＬｄをクロスせずに負側の振幅値（ボトム値）を経て正側に変化している場合である。そして、カウント値ｅが「５」より大きくなるまで、すなわちステップＳ３０６〜Ｓ３１２の各処理を５回実行させる理由は、負側の振幅値（ボトム値）である第２波形値Ｗ２以降の６つの波形値データに同第２波形値Ｗ２より小さな瞬時値の波形値データが含まれていないかを確認するためである。
【００５２】
したがって、ステップＳ３０６〜Ｓ３１２の各処理を５回実行させている間に、第２波形値Ｗ２より小さな瞬時値の波形値データが生じた場合には、ステップＳ３１２の判定処理にて「Ｙｅｓ」と判定されてステップＳ３１３にてカウント値ｅを「０」にリセットした後、ステップＳ３１４以降の処理に実行が移される。一方、第２波形値Ｗ２以降の６つの波形値データに、同第２波形値Ｗ２より小さな瞬時値の波形値データが含まれていない場合には、ステップＳ３３８の判定処理にて「Ｙｅｓ」と判定されてステップＳ３４０に進み、同ステップＳ３４０にてカウント値ｅを「０」にリセットする。なお、ステップＳ３３８の判定処理によるステップＳ３０６〜Ｓ３１２の各処理を実行させる回数は、再生信号の状態に応じて適宜設定されるものであり、５回に限定されるものではない。
【００５３】
ステップＳ３３４にて「Ｙｅｓ」と判定された場合、すなわち再生信号がトリガレベルＴＲｄまたはスライスレベルＳＬｄをクロスした場合には、ステップＳ３４２にて、第１波形値Ｗ１、すなわち負側の振幅値（ボトム値）の次の波形値データがトリガレベルＴＲｄより大きいか否かを判定する。この場合、第１波形値Ｗ１がトリガレベルＴＲｄより大きい場合には、同判定において「Ｙｅｓ」と判定されてステップＳ３４４に進む。一方、第１波形値Ｗ１がトリガレベルＴＲｄ以下の場合には、同判定において「Ｎｏ」と判定されてステップＳ３０６に戻る。これにより、第２波形値Ｗ２以降の波形値データに同第２波形値Ｗ２より小さな瞬時値の波形値データが含まれていないか確認している。そして、第２波形値Ｗ２以降の波形値データがトリガレベルＴＲｄより大きくなった場合には、同第２波形値Ｗ２より小さな瞬時値の波形値データが含まれていないとしてステップＳ３４４に進む。
【００５４】
ステップＳ３４４においては、指標値Ｓの値が「２」であるか否かを判定し、指標値Ｓの値が「２」である場合には、同判定において「Ｙｅｓ」と判定されてステップＳ３５８に進む。すなわち、再生信号がスライスレベルＳＬｄをクロスしている場合には、図６に示すステップＳ３５８に進む。このステップＳ３５８以降の処理は後述する。一方、指標値Ｓの値が「２」以外、具体的には「１」であれば、同判定において「Ｎｏ」と判定されてステップＳ３４６に進む。すなわち、再生信号がトリガレベルＴＲｄをクロスしている場合には、ステップＳ３４６に進む。したがって、ステップＳ３４６以降の処理が実行される場合とは、再生信号がトリガレベルＴＲｄおよびスライスレベルＳＬｄをクロスせずに負側の振幅値（ボトム値）を経て正側に変化している場合、または再生信号がトリガレベルＴＲｄをクロスして負側の振幅値（ボトム値）を経て正側に変化している場合である。
【００５５】
ステップＳ３４６においては、変数ｋをインクリメントする。次に、ステップＳ３４８にて、第２波形値Ｗ２、すなわち負側の振幅値（ボトム値）を変数ｋによって指定される振幅値ＬＳＷ（ｋ）として記憶する。また、再生信号がトリガレベルＴＲｕをクロスして第２波形値Ｗ２に達するまでの時間を変数ｋによって指定される振幅値到達時間ＬＳＴ（ｋ）として記憶する。この場合、第２波形値Ｗ２に対応した第１タイミング値Ｔ１から再生信号がトリガレベルＴＲｕをクロスしたタイミングＴＲＰを減算する。なお、これらの振幅値ＬＳＷおよび振幅値到達時間ＬＳＴは、メモリ２０ａ内に記憶される。
【００５６】
次に、コンピュータ２０は、ステップＳ３５０にて、指標値Ｓの値が「０」であるか否かを判定し、指標値Ｓの値が「０」である場合には、同判定において「Ｙｅｓ」と判定されてステップＳ２０６に戻る。すなわち、再生信号がトリガレベルＴＲｄをクロスせずに負側の振幅値（ボトム値）を経て正側に変化している場合には、ステップＳ２０６に戻り、再び再生信号がトリガレベルＴＲｕまたはＴＲｄの各外側から各内側に向かってクロスする直前直後の波形値データの検出処理を実行する。一方、指標値Ｓの値が「０」以外、具体的には「１」であれば、同判定において「Ｎｏ」と判定されてステップＳ３５２に進む。すなわち、再生信号がトリガレベルＴＲｄをクロスしている場合には、ステップＳ３５２に進む。
【００５７】
ステップＳ３５２においては、指標値Ｓを「０」にリセットする。そして、ステップＳ３５４にて、番地ｎ−１によって指定される波形値データを第１波形値Ｗ１として記憶するとともに、番地ｎによって指定される波形値データを第２波形値Ｗ２として記憶する。すなわち、前記ステップＳ３４２による判定処理により番地ｎ−１によって指定される波形値データとは、再生信号がトリガレベルＴＲｄをクロスする直前の波形値データであり、番地ｎによって指定される波形値データとは再生信号がトリガレベルＴＲｄをクロスした直後の波形値データである。次に、ステップＳ３５６にて、第１波形値Ｗ１および第２波形値Ｗ２にそれぞれ対応するタイミングデータを第１タイミング値Ｔ１および第２タイミング値Ｔ２としてそれぞれ記憶する。具体的には、番地ｎ−１によって指定されるタイミングデータを第１タイミング値として記憶するとともに、番地ｎによって指定されるタイミングデータを第２タイミング値として記憶する。
【００５８】
すなわち、前記ステップＳ３５０の判定処理にて「Ｎｏ」と判定された場合、換言すれば再生信号がトリガレベルＴＲｄをクロスしている場合とは、前記ステップＳ２０４〜Ｓ２１４の各処理によって再生信号がトリガレベルＴＲｄの下側から上側に向かってクロスする直前直後の波形値データを検出した場合と同様である。したがって、ステップＳ３５２はステップＳ２０２に対応し、ステップＳ３５４はステップ２０６に対応し、ステップＳ３５６はステップＳ２１６に対応している。そして、コンピュータ２０は、ステップＳ３５６の処理の後、ステップＳ２２０の判定処理に戻るが、同判定処理においては必ず「Ｎｏ」と判定されてステップＳ４００に進む。
【００５９】
前記ステップＳ３４４にて「Ｙｅｓ」と判定された場合、すなわち再生信号がスライスレベルＳＬｄをクロスしている場合には、ステップＳ３５８にて、第１波形値Ｗ１、すなわち負側の振幅値（ボトム値）の次の波形値データがスライスレベルＳＬｄより小さいか否かを判定する。この場合、第１波形値Ｗ１は、前記ステップＳ３４２の判定処理によりトリガレベルＴＲｄより大きい値、より具体的には、再生信号がトリガレベルＴＲｄの下側から上側に向かってクロスした直後の波形値データとなっている。したがって、ステップＳ３５８の判定処理においては、第１波形値Ｗ１がスライスレベルＳＬｄより小さい値となるまで「Ｎｏ」と判定し続け、ステップＳ３６０〜Ｓ３６４の各処理が繰り返し実行される。具体的には、ステップＳ３６０にて番地ｎをデクリメントして、ステップＳ３６２にてカウント値ｐをインクリメントする。そして、ステップＳ３６４にて、番地ｎによって指定される波形値データを第１波形値Ｗ１として記憶した後、ステップＳ３５８に戻る。すなわち、ステップＳ３５８〜Ｓ３６４の循環処理によって、再生信号がスライスレベルＳＬｄをクロスする直前の波形値データを第１波形値Ｗ１として記憶する。なお、カウント値ｐは、番地ｎをデクリメントした回数を表している。
【００６０】
そして、第１波形値Ｗ１がスライスレベルＳＬｄをクロスする直前の波形値データとなった場合には、ステップＳ３５８の判定処理において「Ｙｅｓ」と判定されてステップＳ３６６に進む。ステップＳ３６６においては、番地ｎによって指定されるタイミングデータを第２タイミング値Ｔ２として記憶するとともに、番地ｎ−１によって指定されるタイミングデータを第３タイミング値Ｔ３として記憶する。すなわち、再生信号がスライスレベルＳＬｄをクロスする直前のタイミングデータを第２タイミング値Ｔ２として記憶し、再生信号がスライスレベルＳＬｄをクロスした直後のタイミングデータを第３タイミング値Ｔ３として記憶する。次にステップＳ３６８にて、番地ｎ＋１によって指定される波形値データ、すなわち再生信号がスライスレベルＳＬｄをクロスした直後の波形値データを第３波形値データＷ３として記憶する。
【００６１】
次に、コンピュータ２０は、ステップＳ３７０にて、再生信号がスライスレベルＳＬｄをクロスした後、再びスライスレベルＳＬｄをクロスしたときのタイミングＳＬＰ２を計算する。具体的には、番地ｎおよびｎ＋１によって指定される波形値データおよびタイミングデータ、すなわち再生信号がスライスレベルＳＬｄを下側から上側に向かってクロスする直前直後の第１波形値Ｗ１，第３波形値Ｗ３および第２タイミング値Ｔ２，第３タイミング値Ｔ３を用いて下記式７による補間演算によって計算する。
ＳＬＰ２＝Ｔ２＋（Ｔ３−Ｔ２）×（Ｗ３−ＳＬｄ）／（Ｗ３−Ｗ１）      …式７
【００６２】
そして、ステップＳ３７２にて、再生信号がスライスレベルＳＬｄを上側から下側にクロスした後、再びスライスレベルＳＬｄを下側から上側にクロスするまでの時間ＷＬを計算する。具体的には、再生信号がスライスレベルＳＬｄを下側から上側に向かってクロスしたときのタイミングＳＬＰ２から再生信号がスライスレベルＳＬｄを上側から下側に向かってクロスしたタイミングＳＬＰ１を減算する。なお、この時間ＷＬが本実施形態に係る閾値超過時間に対応する。
【００６３】
次に、コンピュータ２０は、ステップＳ３７４にて、スライスレベルＳＬｄをクロスした再生信号が評価対象である最長のパルス幅（１１Ｔ）に対応した再生信号であるか否かを判定する。具体的には、前記ステップＳ３７２にて計算した時間ＷＬの値がパルス幅（１１Ｔ−β）±αの範囲内であるか否かを判定し、時間ＷＬの値がパルス幅（１１Ｔ−β）±αの範囲内であれば同判定において「Ｙｅｓ」と判定されてステップＳ３７６に進む。一方、時間ＷＬの値がパルス幅（１１Ｔ−β）±αの範囲外であれば同判定において「Ｎｏ」と判定されてステップＳ３７６〜Ｓ３７８をスキップしてステップＳ３８０に進む。
【００６４】
この場合、１１Ｔからβを減じる理由は、最長のパルス幅（１１Ｔ）の信号が中央レベルＡｖｅをクロスしたタイミングから再度、中央レベルＡｖｅをクロスするタイミングまでの時間は１１Ｔ近傍の値となるが、スライスレベルＳＬｄは中央レベルＡｖｅと最小レベルＭｉｎの間の２／３のレベルに設定されているため、スライスレベルＳＬｄをクロスしたタイミングから再度、スライスレベルＳＬｄをクロスするタイミングまでの時間は１１Ｔより短くなる。したがって、この短くなる分をβとして１１Ｔから減じている。βの値は、デジタルオシロスコープなどで予め測定されており、光ディスクＤＫがＨＤ  ＤＶＤの場合には２．６Ｔ程度（ブルーレイディスクの場合には２．０Ｔ程度）の値である。また、±αは、パルス幅１１Ｔを判定する上での所定の許容範囲である。なお、本実施形態においては、再生信号がスライスレベルＳＬｄを超えている間の時間ＷＬにより評価対象である最長のパルス幅（１１Ｔ）に対応した再生信号であるか否かを判定したが、これに限定されるものではない。例えば、再生信号がスライスレベルＳＬｄをクロスした後、負側の振幅値（ボトム値）に達するまでの時間、すなわち振幅値到達時間ＬＬＴを用いて判定するようにしてもよい。
【００６５】
ステップＳ３７６においては、変数ｔをインクリメントする。そして、ステップＳ３７８にて、第２波形値Ｗ２、すなわち負側の振幅値（ボトム値）を変数ｔによって指定される振幅値ＬＬＷ（ｔ）として記憶する。また、再生信号がトリガレベルＴＲｕをクロスして第２波形値Ｗ２に達するまでの時間を変数ｔによって指定される振幅値到達時間ＬＬＴ（ｔ）として記憶する。具体的には、第２波形値Ｗ２に対応した第１タイミング値Ｔ１から再生信号がトリガレベルＴＲｕをクロスするタイミングＴＲＰを減算する。なお、これらの振幅値ＬＬＷおよび振幅値到達時間ＬＬＴは、メモリ２０ａ内に記憶される。
【００６６】
次に、ステップＳ３８０においては、番地ｎにカウント値ｐを加算して新たな番地ｎとする。カウント値ｐは、前記したように前記ステップＳ３５８〜Ｓ３６４の循環処理において番地ｎをデクリメントした回数である。したがって、番地ｎは、前記ステップＳ３４２の判定処理によるトリガレベルＴＲｄより大きい値、より具体的には、再生信号がトリガレベルＴＲｄの下側から上側に向かってクロスした直後の波形値データとなる。次に、ステップＳ３８２にて、カウント値ｐを「０」にクリアする。そして、ステップＳ３８４にて、第１波形値Ｗ１、第２波形値Ｗ２、第３波形値Ｗ３、第１タイミング値Ｔ１、第２タイミング値Ｔ２、第３タイミング値Ｔ３、タイミングＳＬＰ１，ＳＬＰ２および時間ＷＬをそれぞれ消去した後、ステップＳ３５２に戻る。
【００６７】
この場合、番地ｎは、再生信号がトリガレベルＴＲｄの下側から上側に向かってクロスした直後の波形値データを指定する番地となっているため、前記ステップＳ２０４〜Ｓ２１４の各処理によって再生信号がトリガレベルＴＲｄの下側から上側に向かってクロスする直前直後の波形値データを検出した場合と同様である。したがって、コンピュータ２０は、前記と同様にしてステップＳ３５２〜Ｓ３５６の各処理を実行した後、ステップＳ２２０に戻るが、同判定処理においては必ず「Ｎｏ」と判定されてステップＳ４００に進む。
【００６８】
ステップＳ２２０の判定処理において「Ｎｏ」と判定、すなわち、再生信号がトリガレベルＴＲｄの下側から上側に向かってクロスする場合には、ステップＳ４００に進む。ステップＳ４００〜Ｓ４８６の各処理は、前記ステップＳ３００〜Ｓ３８６の各処理と同様である。したがって、前記ステップＳ３００〜Ｓ３８６の各処理と異なるステップについて説明する。
【００６９】
ステップＳ４００は、前記ステップＳ３００に対応しており、再生信号がトリガレベルＴＲｄをクロスするタイミングＴＲＰを計算する。具体的には、下記式８による補間演算によって計算する。下記式８においては、前記式５におけるトリガレベルＴＲｕをトリガレベルＴＲｄとしている。
ＴＲＰ＝Ｔ１＋（Ｔ２−Ｔ１）×（ＴＲｄ−Ｗ１）／（Ｗ２−Ｗ１）      …式８
【００７０】
次に、図７に示すステップＳ４１２は、前記ステップＳ３１２に対応しており、第１波形値Ｗ１が第２波形値Ｗ２より大きいか否かを判定して、再生信号における正側の振幅値（ピーク値）を検出している。したがって、前記ステップ３１２とは符号の向きが逆となる。次に、ステップ４１６は、前記ステップＳ３１６に対応しており、第１波形値Ｗ１がトリガレベルＴＲｕ以上であるか否かを判定し、再生信号がトリガレベルＴＲｕをクロスしたか否かを指標値Ｓの値（「１」）によって表している。したがって、ステップＳ４１６においては、前記ステップＳ３１６におけるトリガレベルＴＲｄをトリガレベルＴＲｕとしている。
【００７１】
次に、ステップＳ４２２は、前記ステップＳ３２２に対応しており、第１波形値Ｗ１がスライスレベルＳＬｕ以上であるか否かを判定し、再生信号がスライスレベルＳＬｕをクロスしたか否かを指標値Ｓの値（「２」）によって表している。したがって、ステップＳ４２２においては、前記ステップＳ３２２におけるスライスレベルＳＬｄをスライスレベルＳＬｕとしている。次に、ステップＳ４３０は、前記ステップＳ３３０に対応しており、再生信号がスライスレベルＳＬｕをクロスするタイミングＳＬＰ１を計算する。具体的には、下記式９による補間演算によって計算する。この式９においては、前記式６におけるスライスレベルＳＬｄをスライスレベルＳＬｕとしている。
ＳＬＰ１＝Ｔ２＋（Ｔ２−Ｔ３）×（ＳＬｕ−Ｗ３）／（Ｗ１−Ｗ３）      …式９
【００７２】
次に、ステップＳ４４２は、前記ステップＳ３４２に対応しており、第１波形値Ｗ１、具体的には正側の振幅値（ピーク値）の次の波形値データがトリガレベルＴＲｕより小さいか否かを判定する。すなわち、正側の振幅値（ピーク値）である第２波形値Ｗ２以降の波形値データに同第２波形値Ｗ２より大きな振幅、換言すれば同第２波形値Ｗ２より大きな振幅値の波形値データが含まれていないかを確認している。したがって、ステップＳ４４２においては、前記ステップＳ３４２における符号の向きを逆にするとともに、トリガレベルＴＲｄをトリガレベルＴＲｕとしている。次に、ステップＳ４４８は、前記ステップＳ３４８に対応しており、正側の振幅値（ピーク値）である第２波形値Ｗ２を変数ｍ（変数ｋに対応している）によって指定される振幅値ＨＳＷ（ｍ）としてメモリ２０ａに記憶する。また、再生信号がトリガレベルＴＲｄをクロスして第２波形値に達するまでの時間を変数ｍによって指定される振幅値到達時間ＨＳＴ（ｍ）としてメモリ２０ａに記憶する。
【００７３】
次に、図８に示すステップＳ４５８は、前記ステップＳ３５８に対応しており、ステップＳ４４４にて「Ｙｅｓ」と判定された場合、すなわち再生信号がスライスレベルＳＬｕをクロスしている場合に、第１波形値Ｗ１、すなわち正側の振幅値（ピーク値）の次の波形値データがスライスレベルＳＬｕより小さいか否かを判定する。この場合、第１波形値Ｗ１は、ステップＳ４４２の判定処理によりトリガレベルＴＲｕより小さい値、より具体的には、再生信号がトリガレベルＴＲｕの上側から下側に向かってクロスした直後の波形値データとなっている。したがって、ステップＳ４５８においては、前記ステップＳ３５８における符号の向きを逆にするとともに、スライスレベルＳＬｄをスライスレベルＳＬｕとしている。
【００７４】
次に、ステップＳ４７０は、前記ステップＳ３７０に対応しており、再生信号がスライスレベルＳＬｕを下側から上側にクロスした後、再びスライスレベルＳＬｕを上側から下側にクロスしたときのタイミングＳＬＰ２を計算する。具体的には、下記式１０による補間演算によって計算する。この式１０においては、前記式７におけるスライスレベルＳＬｄをスライスレベルＳＬｕとしている。そして、ステップＳ４７２にて、再生信号がスライスレベルＳＬｕをクロスした後、再びスライスレベルＳＬｕをクロスするまでの時間ＷＬ（＝ＳＬＰ２−ＳＬＰ１）を計算する。
ＳＬＰ２＝Ｔ２＋（Ｔ３−Ｔ２）×（Ｗ３−ＳＬｄ）／（Ｗ３−Ｗ１）      …式１０
【００７５】
次に、ステップＳ４７８は、前記ステップＳ３７８に対応しており、正側の振幅値（ピーク値）である第２波形値Ｗ２を変数ｖ（変数ｔに対応している）によって指定される振幅値ＨＬＷ（ｖ）としてメモリ２０ａに記憶する。また、再生信号がトリガレベルＴＲｄをクロスして第２波形値Ｗ２に達するまでの時間を変数ｖによって指定される振幅値到達時間ＨＬＴ（ｖ）としてメモリ２０ａに記憶する。
【００７６】
また、ステップＳ４５０の判定処理にて「Ｎｏ」と判定された場合およびステップＳ４５８〜Ｓ４８４の各処理が実行された場合とは、再生信号がトリガレベルＴＲｕをクロスしている場合であり、前記ステップＳ２０４〜Ｓ２１４の各処理によって再生信号がトリガレベルＴＲｕの上側から下側に向かってクロスする直前直後の波形値データを検出した場合と同様である。したがって、コンピュータ２０は、ステップＳ４５６の処理の後、ステップＳ４２０の判定処理に戻るが、同判定処理においては必ず「Ｙｅｓ」と判定されてステップＳ３００に進む。
【００７７】
このようなステップＳ２０６〜Ｓ２２０，ステップＳ３００〜Ｓ３８４，ステップＳ４４０〜Ｓ４８４による各処理が繰り返し実行されて、振幅値ＨＳＷ，ＬＳＷ，ＨＬＷ，ＬＬＷおよび振幅値到達時間ＬＳＴ，ＨＳＴ，ＨＬＴ，ＬＬＴが、外部記憶回路１７に記憶された再生信号の波形データから抽出および計算される。これらのステップＳ２０６〜Ｓ２２０，ステップＳ３００〜Ｓ３８４，ステップＳ４４０〜Ｓ４８４の各実行過程において、外部記憶回路１７に記憶している再生信号の波形データにおける波形値データが存在しなくなった場合には、ステップＳ３０８またはステップＳ４０８の判定処理において「Ｎｏ」と判定されてステップＳ３８６またはステップＳ４８６にて振幅データ抽出サブプログラムの実行を終了してステップＳ１０８に戻る。
【００７８】
これにより、外部記憶回路１７に記憶した波形データから振幅値ＨＳＷ（１〜ｍ），ＬＳＷ（１〜ｋ），ＨＬＷ（１〜ｖ），ＬＬＷ（１〜ｔ）および振幅値到達時間ＨＳＴ（１〜ｍ），ＬＳＴ（１〜ｋ），ＨＬＴ（１〜ｖ），ＬＬＴ（１〜ｔ）からなる振幅データが抽出および計算される。この場合、振幅値ＨＳＷ（１〜ｍ），ＬＳＷ（１〜ｋ）および振幅値到達時間ＨＳＴ（１〜ｍ），ＬＳＴ（１〜ｋ）には、スライスレベルＳＬｕ，ＳＬｄをクロスした再生信号に関する振幅値および同振幅値に対応する振幅値到達時間は含まれていない。また、振幅値ＨＬＷ（１〜ｖ），ＬＬＷ（１〜ｔ）および振幅値到達時間ＨＬＴ（１〜ｖ），ＬＬＴ（１〜ｔ）は、スライスレベルＳＬｕ，ＳＬｄをクロスした再生信号のうち評価対象となるパルス幅１１Ｔに関する振幅値および同振幅値に対応する振幅値到達時間のみである。
【００７９】
次に、コンピュータ２０は、ステップＳ１０８にて、前記ステップＳ１０６にて抽出した各振幅値ＨＳＷ（１〜ｍ），ＬＳＷ（１〜ｋ）の度数分布をそれぞれ計算する。図９（Ａ），（Ｂ）は、振幅値ＨＳＷ（１〜ｍ）についての度数分布の様子を表している。なお、振幅値ＬＳＷ（１〜ｋ）の度数分布についても同様の図となる。図９（Ａ）において、振幅値ＨＳＷ（１〜ｍ）の小さい方（図において左側）から最初に現れる度数の山がパルス幅２Ｔの度数分布であり、２番目に現れる度数の山がパルス幅３Ｔの度数分布であり、３番目に現れる度数の山がパルス幅４Ｔ〜６Ｔの度数分布である。この振幅値ＨＳＷ（１〜ｍ）（またはＬＳＷ（１〜ｋ））の度数分布において、各度数の山と山との間の谷の部分の度数が「０」にならないのは、図１０（Ａ）に示すように、互いに隣り合うパルス幅同士において同じ値の振幅値となる場合があるからである。
【００８０】
次に、コンピュータ２０は、ステップＳ１１０にて、振幅値ＨＳＷ（１〜ｍ）およびＬＳＷ（１〜ｋ）の各度数分布において、各振幅値ＨＳＷ（１〜ｍ）およびＬＳＷ（１〜ｋ）からノイズデータを除去する。具体的には、図９（Ａ）に示すように各度数分布における最大度数の１／１０以下の度数（図において破線）に対応する振幅値ＨＳＷ（１〜ｍ）（またはＬＳＷ（１〜ｋ））をノイズデータとしてメモリ２０ａから消去する。そして、ステップＳ１１２にて、振幅値ＨＳＷ（１〜ｍ）およびＬＳＷ（１〜ｋ）の各度数分布において、パルス幅２Ｔおよび３Ｔにおける度数分布の最高度数に対応する振幅値をそれぞれ最大度数振幅値ＦＨＳＷ２，ＬＳＷ２，ＨＳＷ３，ＬＳＷ３として抽出する。具体的には、振幅値ＨＳＷ（１〜ｍ）およびＬＳＷ（１〜ｋ）の各度数分布における振幅値が小さい方から最初に現れた度数分布のピーク値に対応する振幅値をパルス幅２Ｔの最大度数振幅値ＦＳＷ２，ＦＬＳＷ２とし、２番目に現れた度数分布のピーク値に対応する振幅値をパルス幅３Ｔの最大度数振幅値ＦＨＳＷ３，ＦＬＳＷ３とする。
【００８１】
次に、コンピュータ２０は、ステップＳ１１４にて、メモリ２０ａに記憶した振幅値ＨＳＷ（１〜ｍ），ＬＳＷ（１〜ｋ）の中から評価対象となるパルス幅（２Ｔ）に対応する正負の各抽出振幅値ＨＳＷ２，ＬＳＷ２を抽出する。この場合、正側および負側の各抽出振幅値ＨＳＷ２，ＬＳＷ２とも同様にして抽出されることから正側の振幅値ＨＳＷ２の抽出について説明する。なお、抽出振幅値ＨＳＷ２，ＬＳＷ２は、本発明に係る抽出振幅値に対応する。
【００８２】
コンピュータ２０は、図１１に示す振幅値抽出サブプログラムをステップＳ５００にて開始して、ステップＳ５０２にて変数Ａに「０」をセットする。次に、ステップＳ５０４にて、所定の時間範囲に属する振幅値到達時間ＨＳＴ（１〜ｍ）に対応する振幅値ＨＳＷ（１〜ｍ）を用いて度数分布を計算する。この場合、所定の時間範囲は、図１０（Ｂ）に示すように、評価対象となるパルス幅（２Ｔ）に対応する振幅値到達時間ＨＳＴ（１〜ｍ）の最小値Ｔｍｉｎ〜最大値Ｔｍａｘを微小時間ΔＴごとに細分化した時間であり、（Ｔｍｉｎ＋変数Ａ×ΔＴ）〜（Ｔｍｉｎ＋（変数Ａ＋１）×ΔＴ）で表される。なお、図１０（Ｂ）に示す所定時間範囲（Ｔｍｉｎ＋変数Ａ×ΔＴ）〜（Ｔｍｉｎ＋（変数Ａ＋１）×ΔＴ）は、説明の便宜上、誇張して示している。
【００８３】
また、図９（Ｂ）は、図１０（Ｂ）に示す所定時間範囲（Ｔｍｉｎ＋変数Ａ×ΔＴ）〜（Ｔｍｉｎ＋（変数Ａ＋１）×ΔＴ）における振幅値ＨＳＷ（１〜ｍ）を用いて計算した度数分布を示している。すなわち、所定時間（Ｔｍｉｎ＋変数Ａ×ΔＴ）〜（Ｔｍｉｎ＋（変数Ａ＋１）×ΔＴ）範囲に属する振幅値到達時間ＨＳＴ（１〜ｍ）に対応する振幅値ＨＳＴ（１〜ｍ）によって計算された度数分布によれば、図９（Ａ）に示した度数分布のように互いに隣り合うパルス幅同士において同じ値の振幅値となる場合がないため、パルス幅２Ｔに対応する度数分布の山とパルス幅３Ｔに対応する度数分布の山とを明確に分けることができる。これにより、振幅値ＨＳＷ（１〜ｍ）からパルス幅２Ｔに対応する振幅値を正確に抽出することができる。
【００８４】
次に、コンピュータ２０は、ステップＳ５０６にて、前記ステップＳ５０４にて計算した度数分布におけるパルス幅２Ｔとパルス幅３Ｔとの境界αを計算する。具体的には、図９（Ｂ）に示すように、前記ステップＳ１１２にて抽出した最大度数振幅値ＦＨＳＷ２とＦＨＳＷ３との間であって、度数が「０±β」となる範囲の中央部の振幅値を境界αとする。この場合±βは、度数が完全に「０」とならない場合における許容範囲である。なお、図９（Ｂ）に示すように、パルス幅２Ｔに対応する度数分布の山とパルス幅３Ｔに対応する度数分布の山とが明確に現れる場合には、必ずしも最大度数振幅値ＦＨＳＷ２，ＦＨＳＷ３は必要ないが、振幅値到達時間ＨＳＴ（１〜ｍ）における最小値Ｔｍｉｎおよび最大値Ｔｍａｘ付近においては、振幅値ＨＳＷ（１〜ｍ）の数が少ないため、境界αを計算する際、最大度数振幅値ＦＨＳＷ２，ＦＨＳＷ３を用いることは有効である。そして、コンピュータ２０は、ステップＳ５０８にて、度数分布内における境界α以下の振幅値ＨＳＷ（１〜ｍ）を抽出して記憶する。これにより、振幅値ＨＳＷ（１〜ｍ）からパルス幅２Ｔに対応する振幅値を正確に抽出することができる。
【００８５】
次に、ステップＳ５１０にて、所定時間範囲（Ｔｍｉｎ＋変数Ａ×ΔＴ）〜（Ｔｍｉｎ＋（変数Ａ＋１）×ΔＴ）が振幅値到達時間ＨＳＴ（１〜ｍ）の最大値Ｔｍａｘに達したか否かを判定する。すなわち、（Ｔｍｉｎ＋（変数Ａ＋１）×ΔＴ）が最大値Ｔｍａｘに達するまで、同判定において「Ｎｏ」と判定され続け、ステップＳ５１２による変数Ａのインクリメント処理を介してステップＳ５０４〜Ｓ５１０の循環処理が繰り返し実行される。これにより、所定の時間範囲に属する振幅値到達時間ＨＳＴ（１〜ｍ）に対応する振幅値ＨＳＷ（１〜ｍ）ごとに度数分布が計算され、同計算された複数の度数分布ごとに評価対象となるパルス幅２Ｔに対応する複数組の振幅値ＨＳＷ（１〜ｍ）が抽出される。
【００８６】
そして、（Ｔｍｉｎ＋（変数Ａ＋１）×ΔＴ）が最大値Ｔｍａｘに達した場合には、ステップＳ５１０の判定処理において「Ｙｅｓ」と判定されてステップＳ５１４に進む。ステップＳ５１４においては、前記ステップＳ５０４〜Ｓ５１０の循環処理によって抽出された評価対象となるパルス幅２Ｔに対応する複数組の振幅値ＨＳＷ（１〜ｍ）を一組の抽出振幅値ＨＳＷ２とする。すなわち、前記ステップＳ５０４〜Ｓ５１０の循環処理によって抽出された振幅値ＨＳＷ（１〜ｍ）は、所定の時間範囲に属する振幅値到達時間ＨＳＴ（１〜ｍ）ごと、換言すれば各度数分布を一組とする振幅値ＨＳＷ（１〜ｍ）の集合データである。したがって、各組の振幅値ＨＳＷ（１〜ｍ）の集合データを一組の集合データとしている。そして、コンピュータ２０は、ステップＳ５１６にて、振幅値抽出サブプログラムの実行を終了してステップＳ１１６に戻る。なお、評価対象となるパルス幅２Ｔに対応する負側の抽出振幅値ＬＳＷ２についても、図示しない同様の振幅値抽出サブプログラムにより抽出される。
【００８７】
次に、コンピュータ２０は、ステップＳ１１６にて、再生信号を評価するための評価用パラメータ値を計算する。この評価用パラメータ値は、前記振幅値抽出サブプログラムの実行によって抽出したパルス幅２Ｔに対応する抽出振幅値ＨＳＷ２，ＬＳＷ２の各平均値および前記振幅データ抽出サブプログラムの実行によって抽出したパルス幅１１Ｔに対応する振幅値ＨＬＷ，ＬＬＷの各平均値である。これにより、評価対象となる２Ｔのパルス幅および１１Ｔのパルス幅にそれぞれ対応する正負の各抽出振幅値ＨＳＷ２，ＬＳＷ２，ＨＬＷ，ＬＬＷの平均値が評価用パラメータ値として計算される。なお、この評価用パラメータ値は、前記平均値のほかに、各振幅値ＨＳＷ，ＬＳＷ，ＨＬＷ，ＬＬＷの中央値、高頻度値、平均値±標準偏差σ、および最大値または最小値を用いてもよい。
【００８８】
そして、コンピュータ２０は、ステップＳ１１８にて、前記４つの評価用パラメータ値を用いて再生信号の評価を行う。具体的には、同４つの評価用パラメータ値を用いて前記従来例に説明した変調振幅またはアシンメトリなどの各評価項目を計算して再生信号の評価を行い、光ディスクＤＫの良否判定を行う。この場合、コンピュータ２０は、再生信号の評価結果および光ディスクＤＫの良否判定結果を表示装置２２に表示する。また、コンピュータ２０は、図１０（Ｂ）示した振幅値ＨＳＷ，ＨＬＷ（ＬＳＷ，ＬＬＷ）と振幅値到達時間ＨＳＴ，ＨＬＴ（ＬＳＴ，ＬＬＴ）との関係を示した相関図を表示装置２２に表示させる。なお、振幅値到達時間ＨＬＴ（ＬＬＴ）は、この相関図を表示するために用いるデータであり、本発明に係る閾値超過時間ではない。
【００８９】
このステップＳ１１８の処理後、コンピュータ２０は、ステップＳ１２０にて、再生信号評価プログラムの実行を終了する。これにより、光ディスクＤＫの検査が終了する。そして、他の光ディスクＤＫの検査を実行する場合には、ターンテーブル１１上に他の光ディスクＤＫを載置固定して、同様に検査を行う。
【００９０】
上記作動説明からも理解できるように、上記実施形態によれば、抽出対象となる振幅値とは反対極性側にトリガレベルＴＲｕ，ＴＲｄを設定して、同トリガレベルＴＲｕ，ＴＲｄに達した後の再生信号の振幅値（ピーク値またはボトム値）をサンプリングした波形データの中から抽出している。すなわち、各振幅値の反対極性側に再生信号を検出するトリガレベルＴＲｕ，ＴＲｄを設けて、換言すれば、同トリガレベルＴＲｕ，ＴＲｄを再生信号における中央レベルＡｖｅより所定量だけ抽出する振幅値とは反対極性側に下げて（または上げて）、評価対象となる最短のパルス幅（２Ｔ）に対応する振幅値を検出し易くしている。
【００９１】
また、再生信号がトリガレベルＴＲｕ，ＴＲｄに達して負側の振幅値または正側の振幅値に達するまでの時間（振幅値到達時間ＨＬＴ，ＬＬＴ）を振幅値ＨＳＷ，ＬＳＷに対応させて記憶している。そして、所定の時間範囲に属する振幅値到達時間ＨＬＴ，ＬＬＴに対応する振幅値ＨＳＷ，ＬＳＷごとに度数分布を計算してパルス幅ごとに分類している。すなわち、所定の時間内ごとに時分割して振幅値ＨＳＷ，ＬＳＷをパルス幅ごとに分類している。この場合、各パルス幅間において同じ振幅値であっても同振幅値に至る振幅値到達時間ＨＬＴ，ＬＬＴがパルス幅ごとに異なるため、各度数分布において振幅値ＨＳＷ，ＬＳＷの度数がパルス幅ごとに偏り、評価対象となるパルス幅２Ｔに対応する振幅値ＨＳＷ，ＬＳＷだけを抽出することができる。このため、振幅値ＨＳＷ，ＬＳＷが各パルス幅ごとに広く分布している場合であっても、所定の時間内における振幅値ＨＳＷ，ＬＳＷの度数分布によりパルス幅が最短である信号も他のパルス幅の信号から高精度で分類できる。この結果、光ディスクＤＫに記録された最短のパルス幅のディジタル信号をアナログ再生したアナログ再生信号も精度よく評価されるようになり、光ディスクのディジタル信号の記録密度が向上しても、アナログ再生信号の評価が高精度で行われるようになる。
【００９２】
また、評価対象となるパルス幅のうち最長のパルス幅（１１Ｔ）に対応するスライスレベルＳＬｕ，ＳＬｄを再生信号がクロスして再びスライスレベルＳＬｕ，ＳＬｄをクロスするまでの時間ＷＬによって、トリガレベルＴＲｕ，ＴＲｄに達した再生信号のうち評価対象となるパルス幅（１１Ｔ）に対応する振幅より小さい振幅の再生信号を除外して、評価対象となるパルス幅（１１Ｔ）に対応する振幅の再生信号の振幅値ＨＳＴ，ＬＳＴのみを抽出している。これにより、効率良く評価対象となるパルス幅（１１Ｔ）に対応する振幅の振幅値を抽出することができ、再生信号の評価を効率的に行うことができる。
【００９３】
さらに、本発明の実施にあたっては、上記実施形態に限定されるものではなく、本発明の目的を逸脱しない限りにおいて種々の変更が可能である。
【００９４】
上記実施形態においては、評価対象となる最長のパルス幅（１１Ｔ）に対応する再生信号の振幅値（ピーク値およびボトム値）を振幅値ＨＬＷ，ＬＬＷとして抽出したが、同振幅値（ピーク値およびボトム値）に代えてスライスレベルＳＬｕ，ＳＬｄを超える再生信号の平均値を振幅値ＨＬＷ，ＬＬＷとして抽出することもできる。具体的には、図５〜図８において破線で示す処理を実行する。これらの図のうち、図５および図６は負側の振幅値ＬＬＷを抽出するフローチャートであり、図７および図８は正側の振幅値ＬＬＷを抽出するフローチャートであり処理内容は互いに同様であるため、図５および図６に示す負側の振幅値ＬＬＷの抽出について説明する。
【００９５】
図４に示すステップＳ２０２にて、変数ａに「０」をセットする処理を追加する。そして、図５に示すステップＳ３２０の判定処理において、「Ｙｅｓ」と判定された場合、すなわち再生信号が既にスライスレベルＳＬｄをクロスしている場合には、ステップＳ３０６に戻る。また、再生信号がスライスレベルＳＬｄを最初にクロスした場合には、ステップＳ３２２〜Ｓ３３０の各処理を実行した後、ステップＳ３３２に代えてステップＳ６００にて、番地ｎの値を番地ｘにセットしてステップＳ３０６に戻る。すなわち、再生信号がスライスレベルＳＬｄをクロスした直後の波形値データが記憶されている番地を番地ｘに記憶する。
【００９６】
次に、図６に示すステップＳ３７４の判定処理において、「Ｙｅｓ」と判定、すなわちスライスレベルＳＬｄをクロスした再生信号が評価対象となるパルス（１１Ｔ）に対応している場合には、ステップＳ３７６，Ｓ３７８に代えて、ステップＳ６０２〜Ｓ６１８の各処理を実行する。ステップＳ６０２においては、番地ｎの値を番地ｙにセットする。すなわち、再生信号が再びスライスレベルＳＬｄをクロスする直前の波形データが記憶されている番地を番地ｙに記憶する。次に、ステップＳ６０４にて、番地ｘの値、すなわち再生信号が最初にスライスレベルＳＬｄをクロスした直後の波形値データが記憶されている番地を番地ｎにセットする。そして、ステップＳ６０６にて、変数ａをインクリメントする。
【００９７】
次に、ステップＳ６０８にて、番地ｎによって指定される波形値データおよびタイミングデータ、すなわち再生信号が最初にスライスレベルＳＬｄをクロスした直後の波形値データおよびタイミングデータを変数ａによって指定される波形値ＰＬＷ（ａ）およびタイミングＰＬＴ（ａ）として記憶する。そして、ステップＳ６１０にて、番地ｎをインクリメントする。次に、ステップＳ６１２にて、番地ｙが番地ｎ以下であるか否かを判定し、番地ｙが番地ｎに達するまで同判定において「Ｎｏ」と判定され続けて、ステップＳ６０６〜Ｓ６１０の各処理が繰り返し実行される。すなわち、スライスレベルＳＬｄを超えている範囲の波形値データおよびタイミングデータが波形値ＰＬＷ（ａ）およびタイミングＰＬＴ（ａ）としてそれぞれ記憶される。そして、スライスレベルＳＬｄを超えている範囲の波形値データおよびタイミングデータが波形値ＰＬＷ（ａ）およびタイミングＰＬＴ（ａ）として記憶された場合には、同判定において「Ｙｅｓ」と判定されて、ステップＳ６１４に進み、同ステップＳ６１４にて変数ｔをインクリメントする。
【００９８】
次に、ステップＳ６１６にて、前記ステップＳ６０６〜Ｓ６１２にて抽出されたスライスレベルＳＬｄを超えている範囲の波形値ＰＬＷ（ａ）およびタイミングＰＬＴ（ａ）の各平均値を計算して、変数ｔによって指定される振幅値ＬＬＷ（ｔ）および振幅値到達時間ＬＬＴ（ｔ）として記憶する。この場合、タイミングＰＬＴ（ａ）の平均値から再生信号がトリガレベルＴＲｕをクロスするタイミングＴＲＰを減算する。そして、ステップＳ６１８にて、変数aに「０」をセットした後、ステップＳ３８０に進む。これにより、スライスレベルＳＬｕ，ＳＬｄを超える再生信号の平均値を振幅値ＨＬＷ（１〜ｔ），ＬＬＷ（１〜ｔ）として抽出することができ、再生信号を多面的に評価することができる。
【００９９】
また、上記実施形態においては、振幅データ抽出サブプログラムにより抽出した振幅値ＨＳＷ（１〜ｍ），ＬＳＷ（１〜ｋ）から評価対象となるパルス幅２Ｔに対応する抽出振幅値ＨＳＷ２，ＬＳＷ２を抽出するために、振幅値到達時間ＨＳＴ（１〜ｍ），ＬＳＴ（１〜ｋ）を用いて時分割して振幅値ＨＳＷ（１〜ｍ），ＬＳＷ（１〜ｋ）の度数分布を計算するようにしたが、必ずしも時分割した度数分布を計算する必要はない。すなわち、図３に示すステップＳ１０８にて計算した度数分布（図９（Ａ））を用いて評価対象となるパルス幅２Ｔに対応する抽出振幅値ＨＳＷ２，ＬＳＷ２を抽出することもできる。
【０１００】
例えば、図９（Ａ）に示す度数分布において、振幅値ＨＳＷ（１〜ｍ）（ＬＳＷ（１〜ｍ））の低い方（図示左側）から、最初に現れた度数のピークの後における最初の度数のボトム値を境界αとし、同境界α以下の振幅値を評価対象となるパルス幅２Ｔに対応する抽出振幅値ＨＳＷ２（ＬＳＷ３）として抽出することもできる。また、同境界α以下の振幅値の度数分布において標準偏差±２σ（９５％）位置における振幅値を評価対象となるパルス幅２Ｔに対応する抽出振幅値ＨＳＷ２（ＬＳＷ２）として抽出することもできる。これによれば、例えば、図１２に示すように、互いに隣り合うパルス幅において、振幅値ＨＳＷ，ＨＬＷ（ＬＳＷ，ＬＬＷ）の範囲が互いに重ならない、またはその重なる範囲が小さい記録メディア（例えば、ＨＤ  ＤＶＤ（ＲＷ））を用いる場合に有効である。なお、これらの場合、同度数のボトム値以下の度数に対応する振幅値ＨＳＷ，ＬＳＷを除外して抽出振幅値ＨＳＷ２（ＬＳＷ）を抽出してもよい。
【０１０１】
また、例えば、ステップＳ１１０におけるノイズデータの除去処理において、ノイズデータとして除去する度数のレベル（図において破線）を高くしてもよい。そして、振幅値ＨＳＷ（１〜ｍ）（またはＬＳＷ（１〜ｍ））の低い方（図示左側）から、最初に現れた度数のピークの後における度数の「０±β」（βは許容範囲）となる範囲の中央部の振幅値ＨＳＷを境界αとし、同境界α以下の振幅値を評価対象となるパルス幅２Ｔに対応する抽出振幅値ＨＳＷ２（ＬＳＷ２）として抽出することもできる。
【０１０２】
また、上記実施形態においては、評価対象となるパルス幅として最短のパルス幅２Ｔを用いたが、これ以外に例えば３Ｔのパルス幅に対応する抽出振幅値ＨＳＷ３（ＬＳＷ３）を抽出することもできる。この場合、例えば、図９（Ｂ）に示す度数分布において、３Ｔの度数分布の後の度数のボトム値に境界α’を設け、前記境界αから境界α’の範囲の振幅値を評価対象となるパルス幅３Ｔに対応する抽出振幅値ＨＳＷ３（ＬＳＷ３）として抽出すればよい。
【０１０３】
また、上記実施形態においては、振幅値到達時間ＨＳＴ，ＬＳＴ，ＨＬＴ，ＬＬＴとして、再生信号がトリガレベルＴＲｕ，ＴＲｄまたはスライスレベルＳＬｕ，ＳＬｄをクロスした後、正側または負側の振幅値（ピーク値またはボトム値）、すなわち抽出する振幅値ＨＳＷ，ＬＳＷ，ＨＬＷ，ＬＬＷに達するまでの時間を計算するようにしたが、これに限定されるものではない。この振幅値到達時間ＨＳＴ，ＬＳＴ，ＨＬＴ，ＬＬＴは、再生信号が所定の振幅値に変化するまでの時間であればよく、例えば、再生信号がトリガレベルＴＲｕ，ＴＲｄをクロスした後、中央レベルＡｖｅまたは他方の極性側のトリガレベルＴＲｄ，ＴＲｕをクロスするまでの時間であってもよい。また、振幅値到達時間ＨＬＴ，ＬＬＴにおいては、再生信号がスライスレベルＳＬｕ，ＳＬｄをクロスした後、再びスライスレベルＳＬｕ，ＳＬｄをクロスまでの時間、すなわち前記時間ＷＬであってもよい。
【０１０４】
さらに、上記実施形態においては、光ディスクＤＫを検査するための光ディスク検査装置に本発明を適用するようにしたが、本発明は光ディスクＤＫに記憶された信号を再生して再生信号を評価する装置であれば、これに限定されるものではない。例えば、光ディスクＤＫに記録されたディジタル信号をアナログ再生するための光ピックアップ２０などの再生装置を検査するための光ピックアップ検査装置などにも広く適用できるものである。
【図面の簡単な説明】
【０１０５】
【図１】本発明の一実施形態に係る光ディスクの検査装置の全体を概略的に示すブロック図である。
【図２】光ディスクから再生された再生信号と中央レベル、トリガレベルおよびスライスレベルとの関係を示した波形図である。
【図３】図１のコンピュータによって実行される再生信号評価プログラムを示すフローチャートである。
【図４】図３のステップＳ１０６にて実行される振幅データ抽出サブプログラムを示すフローチャートである。
【図５】図４に示す振幅データ抽出サブプログラムにおける負側の振幅値を抽出するステップを示すフローチャートである。
【図６】図４に示す振幅データ抽出サブプログラムにおける負側の振幅値を抽出するステップを示すフローチャートである。
【図７】図４に示す振幅データ抽出サブプログラムにおける正側の振幅値を抽出するステップを示すフローチャートである。
【図８】図４に示す振幅データ抽出サブプログラムにおける正側の振幅値を抽出するステップを示すフローチャートである。
【図９】（Ａ）は抽出した振幅値の度数分布図であり、（Ｂ）は所定時間ごとに時分割した振幅値の度数分布である。
【図１０】（Ａ）は抽出した振幅値と振幅値到達時間との関係を示した相関分布図である。（Ｂ）は抽出した振幅値を時分割する様子を説明するための説明図である。
【図１１】図３のステップＳ１１４にて実行される振幅データ抽出サブプログラムを示すフローチャートである。
【図１２】本実施形態における光ディスクとは異なる光ディスクによる振幅値と振幅値到達時間との関係を示した相関分布図である。
【符号の説明】
【０１０６】
ＤＫ…光ディスク、１２…光ピックアップ、１４…再生信号生成回路、１５…Ａ／Ｄ変換器、１６…クロック信号発生回路、１７…外部記憶回路、２０…コンピュータ、２０ａ…メモリ、２１…入力装置、２２…表示装置。
【図１】
2007066412.tif 000003
【図２】
2007066412.tif 000004
【図３】
2007066412.tif 000005
【図４】
2007066412.tif 000006
【図５】
2007066412.tif 000007
【図６】
2007066412.tif 000008
【図７】
2007066412.tif 000009
【図８】
2007066412.tif 000010
【図９】
2007066412.tif 000011
【図１０】
2007066412.tif 000012
【図１１】
2007066412.tif 000013
【図１２】
2007066412.tif 000014